(57)【要約】【課題】使用者が洗濯物量の判定結果に応じた洗い時間を好みで修正することが可能な洗濯機を提供すること。【解決手段】使用者がよく洗うスイッチ４４のキー５０を有効に操作した場合にはカウンタの値がよく洗うスイッチ４４のキー５０の操作内容に応じて設定される。このカウンタの値の設定状態では洗い時間がカウンタの値に応じた分だけ標準値に対して異なる値に設定され、洗い処理が洗い時間の設定結果で行われる。この標準値は洗濯物量の判定結果に応じた値であり、使用者がよく洗うスイッチ４４のキー５０を有効に操作した場合には洗い処理が標準値に対してよく洗うスイッチ４４のキー５０の操作内容に応じた分だけ異なる洗い時間で行われる。【選択図】図３
2011110251.tif 000002
【特許請求の範囲】
【請求項１】
洗濯物の重量である洗濯物量を判定する洗濯物量判定手段と、
洗濯物を洗剤分を含有する水で洗う洗い処理と洗濯物から洗剤分を排出するすすぎ処理と洗濯物から水分を遠心力で排出する脱水処理の少なくとも一つを含む洗濯運転を行うためのパラメータの値を前記洗濯物量判定手段の洗濯物量の判定結果に基づいて設定するパラメータ設定手段と、
使用者が操作することが可能な操作子と、
前記操作子が有効に操作された場合に前記操作子の操作内容に応じてデータの値を設定するデータ設定手段を備え、
前記パラメータ設定手段は、
前記データ設定手段のデータの値が予め決められた初期値に設定されている場合には前記パラメータの値を前記洗濯物量判定手段の洗濯物量の判定結果に応じた標準値に設定し、前記データ設定手段のデータの値が前記初期値に設定されていない場合には前記パラメータの値を前記標準値に対して前記データ設定手段のデータの値に応じた分だけ異なる値に設定することを特徴とするランドリー機器。
【請求項２】
洗濯物の重量である洗濯物量を判定する洗濯物量判定手段と、
洗濯物を温風で乾かす乾燥処理を含む乾燥運転を行うためのパラメータの値を前記洗濯物量判定手段の洗濯物量の判定結果に基づいて設定するパラメータ設定手段と、
使用者が操作することが可能な操作子と、
前記操作子が有効に操作された場合に前記操作子の操作内容に応じてデータの値を設定するデータ設定手段を備え、
前記パラメータ設定手段は、
前記データ設定手段のデータの値が予め決められた初期値に設定されている場合には前記パラメータの値を前記洗濯物量判定手段の洗濯物量の判定結果に応じた標準値に設定し、前記データ設定手段のデータの値が前記初期値に設定されていない場合には前記パラメータの値を前記標準値に対して前記データ設定手段のデータの値に応じた分だけ異なる値に設定することを特徴とするランドリー機器。
【請求項３】
前記パラメータ設定手段は、
前記洗い処理が始まってから終わるまでの所要時間である洗い時間と前記洗い処理で使用する洗剤の量である洗剤量と前記洗い処理で使用する水の量である水量と前記すすぎ処理で洗濯物をすすぐ場合の態様であるすすぎパターンと前記脱水処理が始まってから終わるまでの所要時間である脱水時間のうちの２以上のそれぞれを前記データ設定手段のデータの値に応じて設定、または、前記乾燥処理を終えるための閾値である乾燥率および前記乾燥処理での温風の温度である制御温度のそれぞれを前記データ設定手段のデータの値に応じて設定することを特徴とする請求項１または２に記載のランドリー機器。
【請求項４】
前記操作子には、前記操作子が有効に操作された場合に達成される効果を使用者に報知するための表示部が設けられていることを特徴とする請求項１〜３のいずれかに記載のランドリー機器。
【請求項５】
前記データ設定手段のデータの値の設定結果が記録されるものであって、電源の遮断状態で当該データの値の記録結果がバックアップされる記録手段と、
電源が投入された場合に前記記録手段からデータの値の記録結果を検出するデータ検出手段を備え、
前記データ設定手段は、前記操作子が有効に操作された場合には前記データ検出手段のデータの値の検出結果を基準に前記操作子の操作内容に応じてデータの値を設定することを特徴とする請求項１〜４のいずれかに記載のランドリー機器。
【請求項６】
前記パラメータ設定手段は、前記パラメータの値を予め決められた下限値および予め決められた上限度値の範囲内で設定することを特徴とする請求項１〜５のいずれかに記載のランドリー機器。
【発明の詳細な説明】
【技術分野】
【０００１】
本発明は洗濯物を洗濯する洗濯機能および洗濯物を乾かす乾燥機能の少なくとも一方を備えたランドリー機器に関する。
【背景技術】
【０００２】
上記ランドリー機器には運転コースとして標準洗乾コースを備えたものがある。この標準洗乾コースは洗濯物量判定処理と洗い処理とすすぎ処理と脱水処理と乾燥処理のそれぞれを順に行うものであり、洗い処理を行うための洗い処理用のパラメータの値〜乾燥処理を行うための乾燥処理用のパラメータの値のそれぞれは洗濯物量判定処理での洗濯物量の判定結果に応じて設定される。このランドリー機器には手動スイッチが装着されており、標準洗乾コースの設定状態で手動スイッチが操作された場合には洗い処理用のパラメータの値〜乾燥処理用のパラメータの値のそれぞれが手動スイッチの操作内容に応じて設定される。
【先行技術文献】
【特許文献】
【０００３】
【特許文献１】特開平１０−２３５０６７号公報
【発明の概要】
【発明が解決しようとする課題】
【０００４】
上記ランドリー機器の場合には洗い処理用のパラメータの値〜乾燥処理用のパラメータの値のそれぞれが洗濯物量判定処理での洗濯物量の判定結果とは無関係に手動スイッチの操作内容に応じて数値で設定される。このため、使用者が過去の標準洗乾コースでの洗濯物の仕上り状態を参考に今回の標準洗乾コースの洗い処理用のパラメータの値〜乾燥処理用のパラメータの値のそれぞれを修正しようとした場合に数値の入力作業が面倒である。
【課題を解決するための手段】
【０００５】
請求項１記載のランドリー機器は、洗濯物の重量である洗濯物量を判定する洗濯物量判定手段と、洗濯物を洗剤分を含有する水で洗う洗い処理と洗濯物から洗剤分を排出するすすぎ処理と洗濯物から水分を遠心力で排出する脱水処理の少なくとも一つを含む洗濯運転を行うためのパラメータの値を前記洗濯物量判定手段の洗濯物量の判定結果に基づいて設定するパラメータ設定手段と、使用者が操作することが可能な操作子と、前記操作子が有効に操作された場合に前記操作子の操作内容に応じてデータの値を設定するデータ設定手段を備え、前記パラメータ設定手段は前記データ設定手段のデータの値が予め決められた初期値に設定されている場合には前記パラメータの値を前記洗濯物量判定手段の洗濯物量の判定結果に応じた標準値に設定し前記データ設定手段のデータの値が前記初期値に設定されていない場合には前記パラメータの値を前記標準値に対して前記データ設定手段のデータの値に応じた分だけ異なる値に設定するところに特徴を有する。
【０００６】
請求項２記載のランドリー機器は、洗濯物の重量である洗濯物量を判定する洗濯物量判定手段と、洗濯物を温風で乾かす乾燥処理を含む乾燥運転を行うためのパラメータの値を前記洗濯物量判定手段の洗濯物量の判定結果に基づいて設定するパラメータ設定手段と、使用者が操作することが可能な操作子と、前記操作子が有効に操作された場合に前記操作子の操作内容に応じてデータの値を設定するデータ設定手段を備え、前記パラメータ設定手段は前記データ設定手段のデータの値が予め決められた初期値に設定されている場合には前記パラメータの値を前記洗濯物量判定手段の洗濯物量の判定結果に応じた標準値に設定し前記データ設定手段のデータの値が前記初期値に設定されていない場合には前記パラメータの値を前記標準値に対して前記データ設定手段のデータの値に応じた分だけ異なる値に設定するところに特徴を有する。
【発明の効果】
【０００７】
１．請求項１記載のランドリー機器について
使用者が操作子を有効に操作した場合にはデータの値が操作子の操作内容に応じて設定され、パラメータの値が標準値に対してデータの値に応じた分だけ異なる値に設定される。この標準値は洗濯物量の判定結果に応じた値であり、使用者が操作子を有効に操作した場合には洗濯運転のうちパラメータに応じた処理が標準値に対して操作子の操作内容に応じた分だけ異なる内容で行われる。このため、使用者が過去の洗濯運転での洗濯物の仕上り状態を参考に操作子を操作することで今回の洗濯運転での洗濯物の仕上り状態を好みのものに簡単に修正できる。
２．請求項２記載のランドリー機器について
使用者が操作子を有効に操作した場合にはデータの値が操作子の操作内容に応じて設定され、パラメータの値が標準値に対してデータの値に応じた分だけ異なる値に設定される。この標準値は洗濯物量の判定結果に応じた値であり、使用者が操作子を有効に操作した場合には乾燥運転のうちパラメータに応じた処理が標準値に対して操作子の操作内容に応じた分だけ異なる内容で行われる。このため、使用者が過去の乾燥運転での洗濯物の仕上り状態を参考に操作子を操作することで今回の乾燥運転での洗濯物の仕上り状態を好みのものに簡単に修正できる。
【図面の簡単な説明】
【０００８】
【図１】実施例１を示す図（洗濯機の内部構成を示す断面図）
【図２】洗濯機の電気的な構成を示すブロック図
【図３】操作パネルを前方から示す図
【図４】運転コーステーブルを示す図
【図５】（ａ）は洗い時間テーブル、（ｂ）は洗剤量テーブル、（ｃ）はすすぎテーブル、（ｄ）は水量テーブル、（ｅ）は脱水時間テーブル、（ｆ）は乾燥率テーブル、（ｇ）は制御温度テーブルを示す図
【図６】すすぎパターンテーブルを示す図
【図７】ＥＥＰＲＯＭの記録データを示す図
【図８】主制御回路のメイン処理を示すフローチャート
【図９】主制御回路のよく洗うスイッチ処理を示すフローチャート
【図１０】主制御回路のよくすすぐスイッチ処理を示すフローチャート
【図１１】主制御回路のよく乾かすスイッチ処理を示すフローチャート
【図１２】主制御回路の節約するスイッチ処理を示すフローチャート
【図１３】主制御回路の速くするスイッチ処理を示すフローチャート
【図１４】主制御回路の運転コース実行処理を示すフローチャート（標準洗乾コース）
【図１５】主制御回路の運転情報設定処理を示すフローチャート
【図１６】主制御回路の運転情報設定処理を示すフローチャート
【図１７】主制御回路の洗い処理を示すフローチャート
【図１８】主制御回路の注水すすぎ処理を示すフローチャート
【図１９】主制御回路のためすすぎ処理を示すフローチャート
【図２０】主制御回路の脱水処理を示すフローチャート
【図２１】主制御回路の乾燥処理を示すフローチャート
【発明を実施するための形態】
【０００９】
【実施例１】
【００１０】
図１の外箱１は前板と後板と左側板と右側板と底板と天板を有する中空状をなすものであり、外箱１の前板には貫通孔状の出入口２が形成されている。この外箱１の前板には扉３が装着されている。この扉３は使用者が前方から閉鎖状態および開放状態相互間で操作することが可能なものであり、扉３の閉鎖状態では出入口２が閉鎖され、扉３の開放状態では出入口２が開放される。外箱１の内部には水受槽４が固定されている。この水受槽４は後面が閉鎖された円筒状をなすものであり、軸心線ＣＬが前から後に向けて下降する傾斜状態に配置されている。この水受槽４は前面が開口するものであり、扉３の閉鎖状態では扉３が水受槽４の前面を気密状態に閉鎖する。
【００１１】
水受槽４の後板には、図１に示すように、水受槽４の外部に位置してドラムモータ５が固定されている。このドラムモータ５は速度制御可能な３相ＤＣブラシレスモータからなるものであり、ドラムモータ５の回転軸６は水受槽４の内部に突出している。この回転軸６は水受槽４の軸心線ＣＬに重ねて配置されたものであり、回転軸６には水受槽４の内部に位置してドラム７が固定されている。このドラム７は後面が閉鎖された円筒状をなすものであり、ドラムモータ５の運転状態で回転軸６と一体的に回転する。このドラム７の前面は水受槽４の前面を介して出入口２に後方から対向しており、ドラム７の内部には扉３の開放状態で前方から出入口２と水受槽４の前面とドラム７の前面を通して洗濯物が出し入れされる。このドラム７は洗濯槽に相当し、ドラムモータ５は洗濯モータに相当する。
【００１２】
ドラム７には、図１に示すように、複数の貫通孔８が形成されている。これら複数の貫通孔８のそれぞれは水が流通することが可能なものであり、ドラム７の内部空間は複数の貫通孔８のそれぞれを介して水受槽４の内部空間に接続されている。このドラム７には複数のバッフル９が固定されている。これら複数のバッフル９のそれぞれはドラム７が回転することに応じて軸心線ＣＬを中心に円周方向へ移動するものであり、ドラム７内の洗濯物は複数のバッフル９のそれぞれに引掛かりながら円周方向へ移動する。
【００１３】
外箱１の内部には、図１に示すように、給水弁１０が固定されている。この給水弁１０は入口および出口を有するものであり、給水弁１０の入口は水道の蛇口に接続されている。この給水弁１０は給水電磁弁１１（図２参照）を駆動源とするものであり、給水弁１０の出口は給水電磁弁１１の電気的な状態に応じて開放状態および閉鎖状態相互間で切換えられる。この給水弁１０の出口は、図１に示すように、注水ケース１２に接続されており、給水弁１０の開放状態では水道水が給水弁１０の出口から注水ケース１２内に注入され、給水弁１０の閉鎖状態では水道水が注水ケース１２内に注入されない。この注水ケース１２は外箱１の内部に水受槽４より高所に位置して固定されたものであり、筒状の注水口１３を有している。この注水口１３は水受槽４の内部に挿入されており、給水弁１０から注水ケース１２内に注入された水道水は注水口１３から水受槽４の内部に注入される。
【００１４】
水受槽４には、図１に示すように、最底部に位置して排水管１４の上端部が接続されており、排水管１４には排水弁１５が介在されている。この排水弁１５は排水弁モータ１６（図２参照）を駆動源とするものであり、排水弁モータ１６の回転量に応じて開放状態および閉鎖状態相互間で切換えられる。この排水弁１５の閉鎖状態では注水口１３から水受槽４内に注入された水道水が水受槽４内に貯留され、排水弁１５の開放状態では水受槽４内に注入された水道水が排水管１４を通して水受槽４の外部に排出される。
【００１５】
水受槽４には、図１に示すように、筒状のオーバーフロー口１７が接続されている。このオーバーフロー口１７は水受槽４内に予め決められた最高量の水道水が貯留されることで水受槽４内の水面の高さが最高値に到達した場合であっても水受槽４内の水面に比べて高所に位置するように配置されたものであり、水受槽４内の水面がオーバーフロー口１７に到達した場合には水受槽４内の水道水がオーバーフロー口１７から水受槽４の外部に排出される。このオーバーフロー口１７はホースを介して排水管１４のうちの排水弁１５の下流側に接続されており、オーバーフロー口１７から排出された水道水はホースを通して排水管１４内に排出される。
【００１６】
外箱１の底板には、図１に示すように、水受槽４の下方に位置してメインダクト１８が固定されている。このメインダクト１８は前後方向へ指向する筒状をなすものであり、メインダクト１８の前端部には前ダクト１９の下端部が接続されている。この前ダクト１９は上下方向へ指向する筒状をなすものであり、前ダクト１９の上端部は水受槽４の内部空間に水受槽４の前端部で接続されている。メインダクト１８の後端部にはファンケーシング２０が固定されている。このファンケーシング２０は貫通孔状の吸気口２１および筒状の排気口２２を有するものであり、ファンケーシング２０の内部空間は吸気口２１を介してメインダクト１８の内部空間に接続されている。
【００１７】
ファンケーシング２０には、図１に示すように、ファンケーシング２０の外部に位置してファンモータ２３が固定されている。このファンモータ２３はファンケーシング２０の内部に突出する回転軸２４を有するものであり、回転軸２４にはファンケーシング２０の内部に位置してファン２５が固定されている。このファン２５は軸方向から空気を吸込んで径方向へ吐出する遠心式のものであり、ファンケーシング２０の吸気口２１はファン２５にファン２５の軸方向から対向し、ファンケーシング２０の排気口２２はファン２５にファン２５の径方向から対向している。
【００１８】
ファンケーシング２０の排気口２２には、図１に示すように、後ダクト２６の下端部が接続されている。この後ダクト２６は上下方向へ指向する筒状をなすものであり、後ダクト２６の上端部は水受槽４の内部空間に水受槽４の後端部で接続されている。これら後ダクト２６とファンケーシング２０とメインダクト１８と前ダクト１９と水受槽４は水受槽４を通路の一部とする環状の循環ダクトを構成するものであり、扉３の閉鎖状態でファンモータ２３が運転されている場合にはファン２５が一定方向へ回転することで水受槽４内の空気が前ダクト１９からメインダクト１８を通してファンケーシング２０内に吸引され、ファンケーシング２０内から後ダクト２６を通して水受槽４内に戻される。
【００１９】
メインダクト１８の内部には、図１に示すように、エバポレータ２７が固定されている。このエバポレータ２７は空気を冷却するものであり、冷媒管２８の外周面に複数のフィン２９を接合することから構成されている。メインダクト１８の内部にはコンデンサ３０が固定されている。このコンデンサ３０は空気を加熱するものであり、エバポレータ２７よりも空気の流れの下流側に配置されている。このコンデンサ３０は冷媒管３１の外周面に複数のフィン３２を接合することから構成されたものであり、エバポレータ２７の冷媒管２８はコンデンサ３０の冷媒管３１に接続されている。
【００２０】
外箱１の内部には、図１に示すように、コンプレッサ３３が固定されている。このコンプレッサ３３は循環ダクトの外部に配置されたものであり、冷媒を吐出する吐出口および冷媒を吸込む吸込口を有している。このコンプレッサ３３は速度制御可能な３相ＤＣブラシレスモータからなるコンプモータ３４（図２参照）を駆動源とするものであり、コンプレッサ３３が吐出口から吐出する冷媒の流量はコンプモータ３４の回転速度が速くなることに比例して増加する。このコンプレッサ３３の吐出口にはコンデンサ３０の冷媒管３１が接続され、コンプレッサ３３の吸込口にはエバポレータ２７の冷媒管２８が接続されており、コンプモータ３４の運転状態ではコンプレッサ３３の吐出口から吐出された冷媒がコンデンサ３０の冷媒管３１およびエバポレータ２７の冷媒管２８のそれぞれを順に通してコンプレッサ３３の吸込口に戻される。
【００２１】
外箱１の内部にはキャピラリーチューブが固定されている。このキャピラリーチューブはエバポレータ２７の冷媒管２８およびコンデンサ３０の冷媒管３１相互間に介在されたものであり、循環ダクトの外部に配置されている。このキャピラリーチューブは冷媒の流れを絞るものであり、減圧器に相当する。外箱１の内部にはアキュームレータが固定されている。このアキュームレータはエバポレータ２７の冷媒管２８およびコンプレッサ３３の吸込口相互間に介在されたものであり、循環ダクトの外部に配置されている。このアキュームレータは冷媒を気体および液体に相互に分離するものであり、コンプレッサ３３の吸込口にはアキュームレータが分離した気体の冷媒が戻される。
【００２２】
エバポレータ２７とコンデンサ３０とコンプレッサ３３とキャピラリーチューブとアキュームレータはヒートポンプを構成するものであり、扉３の閉鎖状態でファンモータ２３およびコンプモータ３４のそれぞれが運転されている場合には水受槽４内の空気がエバポレータ２７に接触することで冷風化され、冷風がコンデンサ３０に接触することで温風化され、水受槽４内に温風が戻される。このため、ドラム７の内部に水分を含んだ未乾燥の洗濯物が投入されている場合にはエバポレータ２７が水受槽４からの空気を冷却することで除湿し、コンデンサ３０が除湿風を加熱するので、コンデンサ３０から水受槽４の複数の貫通孔８のそれぞれを通してドラム７内の洗濯物に低湿度な温風が吹付けられることでドラム７内の洗濯物の乾燥が促進される。
【００２３】
外箱１の前板には、図１に示すように、操作パネル３５が固定されており、操作パネル３５には、図３に示すように、操作パネル３５の後方に位置してスタートスイッチ３６と洗濯スイッチ３７と洗乾スイッチ３８と乾燥スイッチ３９と洗いスイッチ４０とすすぎスイッチ４１と脱水スイッチ４２と乾燥スイッチ４３とよく洗うスイッチ４４とよくすすぐスイッチ４５とよく乾かすスイッチ４６と節約するスイッチ４７と速くするスイッチ４８とメモリクリアスイッチ４９が固定されている。
【００２４】
スタートスイッチ３６〜メモリクリアスイッチ４９の１４種類のそれぞれは自己復帰形のプッシュスイッチからなるものであり、図３に示すように、キー５０を有している。これらキー５０のそれぞれはオフ位置およびオフ位置に比べて後方のオン位置相互間で移動可能にされたものであり、スタートスイッチ３６〜メモリクリアスイッチ４９のそれぞれはキー５０のオフ位置で電気的なオフ状態になる。これらスタートスイッチ３６〜メモリクリアスイッチ４９のそれぞれはキー５０がオン位置に操作されることで電気的なオン状態になるものであり、キー５０のオン位置でキー５０から操作力が除去された場合にはキー５０がオフ位置に自己復帰することで電気的なオフ状態に戻る。これらスタートスイッチ３６〜メモリクリアスイッチ４９のそれぞれのキー５０は操作パネル３５の前方に配置されたものであり、前方の使用者がオフ位置からオン位置に操作することが可能なものである。
【００２５】
よく洗うスイッチ４４のキー５０は使用者が洗濯物を洗剤分を含有する水で洗う場合の汚れの落ち具合を現状に比べて高めるために操作するものであり、よく洗うスイッチ４４のキー５０には、図３に示すように、よく洗うスイッチ４４のキー５０が有効に操作された場合の効果を使用者に報知する「よく洗う」の表示部５１が前方から視覚的に認識可能に記されている。このよく洗うスイッチ４４のキー５０は操作子に相当する。よくすすぐスイッチ４５のキー５０は使用者が洗濯物から洗剤分を排出する場合の洗剤分の排出具合を現状に比べて高めるために操作するものであり、よくすすぐスイッチ４５のキー５０にはよくすすぐスイッチ４５のキー５０が有効に操作された場合の効果を使用者に報知する「よくすすぐ」の表示部５２が前方から視覚的に認識可能に記されている。このよくすすぐスイッチ４５のキー５０は操作子に相当する。よく乾かすスイッチ４６のキー５０は使用者が洗濯物を温風で乾かす場合の乾燥具合を現状に比べて高めるために操作するものであり、よく乾かすスイッチ４６のキー５０にはよく乾かすスイッチ４６のキー５０が有効に操作された場合の効果を使用者に報知する「よく乾かす」の表示部５３が前方から視覚的に認識可能に記されている。このよく乾かすスイッチ４６のキー５０は操作子に相当する。
【００２６】
節約するスイッチ４７のキー５０は使用者が水道水の使用量および電力の使用量のそれぞれを現状に比べて節約するために操作するものであり、節約するスイッチ４７のキー５０には、図３に示すように、節約するスイッチ４７のキー５０が有効に操作された場合の効果を使用者に報知する「節約する」の表示部５４が前方から視覚的に認識可能に記されている。この節約するスイッチ４７のキー５０は操作子に相当する。速くするスイッチ４８のキー５０は使用者が運転コースの全体の所要時間を現状に比べて短縮するために操作するものであり、速くするスイッチ４８のキー５０には速くするスイッチ４８のキー５０が有効に操作された場合の効果を使用者に報知する「速くする」の表示部５５が前方から視覚的に認識可能に記されている。この速くするスイッチ４８のキー５０は操作子に相当する。
【００２７】
スタートスイッチ３６のキー５０は、図３に示すように、円形状をなすものであり、スタートスイッチ３６のキー５０の外周面にはダイアル５６が前方から操作可能に装着されている。このダイアル５６はスタートスイッチ３６のキー５０の静止状態でスタートスイッチ３６のキー５０の外周面に沿って時計回り方向へ回転可能にされたものであり、ダイアル５６にはエンコーダ５７（図２参照）の回転軸が連結されている。このエンコーダ５７は回転形のものであり、ダイアル５６が時計回り方向へ一定角度だけ回転操作される毎に１個のパルス信号を出力する。
【００２８】
操作パネル３５には、図３に示すように、液晶表示器からなる表示器５８が固定されている。この表示器５８は使用者が視覚的に認識することが可能なものであり、表示器５８には洗剤量が表示される。この洗剤量は使用者が今回の運転コースでドラム７内に投入することが必要な洗剤の量を称するものであり、予め決められた標準量「１」に対する相対的な数値で表示される。操作パネル３５には表示プレート５９が固定されている。この表示プレート５９は使用者が視覚的に認識することが可能なものであり、表示プレート５９には透光性の「標準」「少量」「ドライ」「毛布」「メモリー」「クリーン」の６種類の名称が記されている。この表示プレート５９には「標準」〜「クリーン」の６種類のそれぞれの名称の後方に位置してＬＥＤ６０（図２参照）が固定されており、「標準」〜「クリーン」のそれぞれの名称は後方のＬＥＤ６０が点灯することで照明される。
【００２９】
操作パネル３５には、図３に示すように、２個のよく洗うＬＥＤ６１と２個のよくすすぐＬＥＤ６２と２個のよく乾かすＬＥＤ６３と２個の節約するＬＥＤ６４と２個の速くするＬＥＤ６５が固定されている。これら２個のよく洗うＬＥＤ６１〜２個の速くするＬＥＤ６５の１０個のそれぞれは使用者が視覚的に認識することが可能なものであり、２個のよく洗うＬＥＤ６１のそれぞれはよく洗うスイッチ４４のキー５０の右下部に左右方向に並べて配置され、２個のよくすすぐＬＥＤ６２のそれぞれはよくすすぐスイッチ４５のキー５０の右下部に左右方向に並べて配置され、２個のよく乾かすＬＥＤ６３のそれぞれはよく乾かすスイッチ４６のキー５０の右下部に左右方向に並べて配置され、２個の節約するＬＥＤ６４のそれぞれは節約するスイッチ４７のキー５０の右下部に左右方向に並べて配置され、２個の速くするＬＥＤ６５のそれぞれは速くするスイッチ４８のキー５０の右下部に左右方向に並べて配置されている。
【００３０】
図２の主制御回路６６はマイクロコンピュータを主体に構成されたものであり、ＣＰＵとＲＯＭとＲＡＭとＥＥＰＲＯＭを有している。この主制御回路６６は外箱１の内部に固定されたものであり、スタートスイッチ３６〜メモリクリアスイッチ４９の１４種類のそれぞれに対してオフ状態からオン状態に変化したか否かを判断することで１４種類のキー５０のそれぞれがオフ位置からオン位置に操作されたか否かを判断し、エンコーダ５７から出力されるパルス信号を検出した場合にＲＡＭのカウンタＮの値を加算することでパルス信号の数を計測する。この主制御回路６６は洗濯物量判定手段とパラメータ設定手段と洗い処理手段とすすぎ処理手段と脱水処理手段とデータ設定手段と乾燥処理手段と記録手段とデータ検出手段のそれぞれに相当する。
【００３１】
図２の水量センサ６７は水受槽４内の水量に応じた大きさの水量信号を出力するものであり、主制御回路６６のＣＰＵは水量信号の大きさから水受槽４内の水量を検出する。図２のドラム入口温度センサ６８は後ダクト２６の内部に固定されたものである。このドラム入口温度センサ６８はコンデンサ３０から水受槽４内に注入される温風の温度に応じた大きさの温度信号を出力するものであり、主制御回路６６のＣＰＵはドラム入口温度センサ６８から出力される温度信号に基づいてドラム７内の洗濯物に吹付けられる前の温風の温度を検出する。この温風の温度をドラム入口温度と称する。図２のドラム出口温度センサ６９は前ダクト１９の内部に固定されたものである。このドラム出口温度センサ６９はドラム７内からエバポレータ２７に戻される温風の温度に応じた大きさの温度信号を出力するものであり、主制御回路６６のＣＰＵはドラム出口温度センサ６９から出力される温度信号に基づいてドラム７内の洗濯物に吹付けられた後の温風の温度を検出する。この温風の温度をドラム出口温度と称する。
【００３２】
図２のＬＣＤ駆動回路７０は表示器５８に駆動電源を印加するものであり、主制御回路６６のＣＰＵはＬＣＤ駆動回路７０を電気的に制御することで表示器５８に洗剤量を表示する。図２のＬＥＤ駆動回路７１は表示プレート５９の複数のＬＥＤ６０のそれぞれに駆動電源を印加するものであり、主制御回路６６のＣＰＵはＬＥＤ駆動回路７１を電気的に制御することで表示プレート５９の名称「標準」〜「クリーン」の６種類のそれぞれを照明する。図２のＬＥＤ駆動回路７２は２個のよく洗うＬＥＤ６１〜２個の速くするＬＥＤ６５の１０個のそれぞれに駆動電源を印加するものであり、主制御回路６６のＣＰＵはＬＥＤ駆動回路７２を電気的に制御することで２個のよく洗うＬＥＤ６１〜２個の速くするＬＥＤ６５の１０個のそれぞれを点灯状態および消灯状態状互換で操作する。
【００３３】
図２の電磁弁駆動回路７３は給水電磁弁１１に駆動電源を印加するものであり、主制御回路６６のＣＰＵは電磁弁駆動回路７３を電気的に制御することで給水電磁弁１１を電気的にオンオフし、給水電磁弁１１をオン時間の長さに応じて調整することで給水弁１０を開閉操作する。図２のモータ駆動回路７４は排水弁モータ１６に駆動電源を印加するものであり、主制御回路６６のＣＰＵはモータ駆動回路７４を電気的に制御することで排水弁モータ１６を電気的にオンオフし、排水弁モータ１６の動作をオン時間の長さに応じて調整することで排水弁１５を開閉操作する。図２のモータ駆動回路７５はファンモータ２３に駆動電源を印加するものであり、主制御回路６６のＣＰＵはモータ駆動回路７５を電気的に制御することでファンモータ２３を電気的にオンオフし、ファン２５を一定方向へ回転する運転状態および静止した運転停止状態相互間で操作する。
【００３４】
図２のインバータ制御回路７６はマイクロコンピュータを主体に構成されたものであり、ＣＰＵとＲＯＭとＲＡＭを有している。図２の速度センサ７７はドラムモータ５のステータに固定されたホールＩＣからなるものである。この速度センサ７７はドラムモータ５のロータマグネットから磁界が作用することで電気的な状態が変化するものであり、インバータ制御回路７６はドラムモータ５の運転状態では速度センサ７７の電気的な状態が単位時間当りにどれだけ変化したかを計測することでドラムモータ５の回転速度を検出する。図２のインバータ回路７８は直流電源を交流電源に変換することでドラムモータ５の駆動電源を生成するものであり、インバータ制御回路７６は目標速度の設定結果および回転速度の計測結果相互間の偏差を演算し、インバータ回路７８を偏差の演算結果に応じて電気的に制御することでドラムモータ５を目標速度の設定結果で回転操作する。
【００３５】
図２の速度センサ７９はコンプモータ３４のステータに固定されたホールＩＣからなるものであり、インバータ制御回路７６はコンプモータ３４の運転状態では速度センサ７９の電気的な状態が単位時間当りにどれだけ変化したかを計測することでコンプモータ３４の回転速度を検出する。図２のインバータ回路８０は直流電源を交流電源に変換することでコンプモータ３４の駆動電源を生成するものであり、インバータ制御回路７６は目標速度の設定結果および回転速度の計測結果相互間の偏差を演算し、インバータ回路８０を偏差の演算結果に応じて電気的に制御することでコンプモータ３４を目標速度の設定結果で回転操作する。このインバータ制御回路７６は主制御回路６６のＣＰＵからコマンドが送信されるものであり、インバータ回路７８をコマンドの受信結果で電気的に制御することでドラムモータ５をコマンドの受信結果で回転操作し、インバータ回路８０をコマンドの受信結果で電気的に制御することでコンプモータ３４をコマンドの受信結果で回転操作する。
【００３６】
操作パネル３５には、図３に示すように、入スイッチ８１および切スイッチ８２が固定されている。これら入スイッチ８１および切スイッチ８２のそれぞれは使用者が操作することが可能なキー８３を有するものであり、電源基板には商用交流電源の遮断状態で入スイッチ８１のキー８３が操作されることで商用交流電源が供給され、商用交流電源の供給状態で切スイッチ８２のキー８３が操作されることで商用交流電源が遮断される。この電源基板は図２の全ての電気的な部品の駆動電源を商用交流電源に基づいて生成するものであり、商用交流電源の遮断状態で入スイッチ８１のキー８３が操作された場合には電源基板から主制御回路６６およびインバータ制御回路７６のそれぞれに駆動電源が印加されることで主制御回路６６およびインバータ制御回路７６のそれぞれが起動する。
【００３７】
図４は主制御回路６６のＲＯＭに予め記録された運転コーステーブルである。この運転コーステーブルは運転コースの大分類「洗濯コース」「洗乾コース」「乾燥コース」のそれぞれに複数の運転コースを設定したものであり、複数の運転コースのそれぞれにはカウンタＮの値が割付けられている。「洗濯コース」は洗濯物を洗剤分を含有する水で洗う洗い処理と洗濯物から洗剤分を除去するすすぎ処理と洗濯物から水分を遠心力で排出する脱水処理のそれぞれを順に行う運転コースを総称するものであり、「洗濯コース」には「標準洗濯コース」〜「クリーン洗濯コース」の６種類の運転コースが設定されている。「洗乾コース」は洗い処理とすすぎ処理と脱水処理のそれぞれを順に行った後に洗濯物を温風で乾かす乾燥処理を行う運転コースを総称するものであり、「洗乾コース」には「標準洗乾コース」〜「クリーン洗乾コース」の５種類の運転コースが設定されている。「乾燥コース」は洗い処理とすすぎ処理と脱水処理のそれぞれを行うことなく乾燥処理を行う運転コースを総称するものであり、「乾燥コース」には「標準乾燥コース」〜「クリーン乾燥コース」の４種類の運転コースが設定されている。
【００３８】
図５の（ａ）は主制御回路６６のＲＯＭに予め記録された洗い時間テーブルである。この洗い時間テーブルは洗濯物量「高重量」「中重量」「低重量」のそれぞれに一つの洗い時間を設定したものであり、洗い時間は洗い処理を開始してから終了するまでの所要時間である。この洗い時間テーブルの３種類の洗い時間のそれぞれは標準値に相当する。図５の（ｂ）は主制御回路６６のＲＯＭに予め記録された洗剤量テーブルである。この洗剤量テーブルは洗濯物量「高重量」「中重量」「低重量」のそれぞれに一つの洗剤量を設定したものであり、洗剤量は標準値「１．０」を基準とする相対的な洗剤の投入量である。この洗剤量テーブルの３種類の洗剤量のそれぞれは標準値に相当する。図５の（ｃ）は主制御回路６６のＲＯＭに予め記録されたすすぎテーブルである。このすすぎテーブルは洗濯物量「高重量」「中重量」「低重量」のそれぞれに一つのすすぎパターンを設定したものであり、すすぎパターンはすすぎ処理をどのような内容で行うかを示すものである。「３回注水」はすすぎ処理として３回の注水すすぎ処理を行うことであり、「２回注水」はすすぎ処理として２回の注水すすぎ処理を行うことであり、「１回注水」はすすぎ処理として１回の注水すすぎ処理を行うことである。このすすぎテーブルの３種類のすすぎパターンのそれぞれは標準値に相当する。
【００３９】
図５の（ｄ）は主制御回路６６のＲＯＭに予め記録された水量テーブルである。この水量テーブルは洗濯物量「高重量」「中重量」「低重量」のそれぞれに一つの水量を設定したものであり、水量は洗い処理およびためすすぎ処理のそれぞれで水受槽４内に貯留する水の量である。この水量テーブルの３種類の水量のそれぞれは標準値に相当する。図５の（ｅ）は主制御回路６６のＲＯＭに予め記録された脱水時間テーブルである。この脱水時間テーブルは洗濯物量「高重量」「中重量」「低重量」のそれぞれに一つの脱水時間を設定したものであり、脱水時間は脱水処理を開始してから終了するまでの所要時間である。この脱水時間テーブルの３種類の脱水時間のそれぞれは標準値に相当する。図５の（ｆ）は主制御回路６６のＲＯＭに予め記録された乾燥率テーブルである。この乾燥率テーブルは洗濯物量「高重量」「中重量」「低重量」のそれぞれに一つの乾燥率を設定したものであり、乾燥率は乾燥処理を終了するための閾値である。この乾燥率テーブルの３種類の乾燥率のそれぞれは標準値に相当する。図５の（ｇ）は主制御回路６６のＲＯＭに予め記録された制御温度テーブルである。この制御温度テーブルは洗濯物量「高重量」「中重量」「低重量」のそれぞれに一つの制御温度を設定したものであり、制御温度は乾燥処理で洗濯物に吹付けられる前のコンデンサ３０の下流側での温風の温度である。この制御温度テーブルの３種類の制御温度のそれぞれは標準値に相当する。
【００４０】
図６は主制御回路６６のＲＯＭに予め記録されたすすぎパターンテーブルである。このすすぎパターンテーブルは複数のすすぎパターンのそれぞれに順位およびカウンタＮの値の双方を設定したものであり、すすぎパターンテーブルには４種類のすすぎパターン「４回注水」「３回注水」「２回注水」「１回注水」を含む８種類のすすぎパターンが設定されている。「４回注水」はすすぎ処理として４回の注水すすぎ処理を行うものであり、「４回」はすすぎ処理として４回のためすすぎ処理を行うものであり、「３回」はすすぎ処理として３回のためすすぎ処理を行うものであり、「２回」はすすぎ処理として２回のためすすぎ処理を行うものであり、「１回」はすすぎ処理として１回のためすすぎ処理を行うものである。順位は洗濯物から洗剤分を排出することが可能なすすぎ能力の高さであり、順位「８」はすすぎ能力が最も高いことであり、順位「１」はすすぎ能力が最も低いことである。
【００４１】
図７は主制御回路６６のＣＰＵが更新するＥＥＰＲＯＭのカウンタの一覧であり、カウンタにはカウンタＮ１〜Ｎ７の７種類が設定されている。カウンタＮ１はよく洗うスイッチ４４のキー５０が有効に操作された場合に一定値「１」が加算され、速くするスイッチ４８のキー５０が有効に操作された場合に一定値「１」が減算されるものである。このカウンタＮ１は洗濯物量に応じて設定される洗い時間を修正するためのものであり、よく洗うスイッチ４４のキー５０および速くするスイッチ４８のキー５０のそれぞれが１回も有効に操作されていない場合に初期値「０」に設定される。カウンタＮ２はよく洗うスイッチ４４のキー５０が有効に操作された場合に一定値「１」が加算され、節約するスイッチ４７のキー５０が有効に操作された場合に一定値「１」が減算されるものである。このカウンタＮ２は洗濯物量に応じて設定される洗剤量を修正するためのものであり、よく洗うスイッチ４４のキー５０および節約するスイッチ４７のキー５０のそれぞれが１回も有効に操作されていない状態で初期値「０」に設定される。
【００４２】
カウンタＮ３はよくすすぐスイッチ４５のキー５０が有効に操作された場合に一定値「１」が加算され、節約するスイッチ４７のキー５０が有効に操作された場合および速くするスイッチ４８のキー５０が有効に操作された場合のそれぞれに一定値「１」が減算されるものである。このカウンタＮ３は洗濯物量に応じて設定されるすすぎパターンを修正するためのものであり、よくすすぐスイッチ４５のキー５０と節約するスイッチ４７のキー５０と速くするスイッチ４８のキー５０のそれぞれが１回も有効に操作されていない状態で初期値「０」に設定される。カウンタＮ４はよくすすぐスイッチ４５のキー５０が有効に操作された場合に一定値「１」が加算され、節約するスイッチ４７のキー５０が有効に操作された場合に一定値「１」が減算されるものである。このカウンタＮ４は洗濯物量に応じて設定される水量を修正するためのものであり、よくすすぐスイッチ４５のキー５０および節約するスイッチ４７のキー５０のそれぞれが１回も有効に操作されていない状態で初期値「０」に設定される。
【００４３】
カウンタＮ５は速くするスイッチ４８のキー５０が有効に操作された場合に一定値「１」が減算されるものである。このカウンタＮ５は洗濯物量に応じて設定される脱水時間を修正するためのものであり、速くするスイッチ４８のキー５０が１回も有効に操作されていない状態で初期値「０」に設定される。カウンタＮ６はよく乾かすスイッチ４６のキー５０が有効に操作された場合に一定値「１」が加算され、速くするスイッチ４８のキー５０が有効に操作された場合に一定値「１」が減算されるものである。このカウンタＮ６は洗濯物量に応じて設定される乾燥率を修正するためのものであり、よく乾かすスイッチ４６のキー５０および速くするスイッチ４８のキー５０のそれぞれが１回も有効に操作されていない状態で初期値「０」に設定される。カウンタＮ７はよく乾かすスイッチ４６のキー５０が有効に操作された場合に一定値「１」が加算され、節約するスイッチ４７のキー５０が有効に操作された場合に一定値「１」が減算されるものである。このカウンタＮ７は洗濯物量に応じて設定される制御温度を修正するためのものであり、よく乾かすスイッチ４６のキー５０および節約するスイッチ４７のキー５０のそれぞれが１回も有効に操作されていない状態で初期値「０」に設定される。これらカウンタＮ１〜Ｎ７のそれぞれはパラメータの値を修正するためのデータに相当する。
【００４４】
図８は主制御回路６６のＲＯＭに予め記録された運転制御プログラムであり、主制御回路６６のＣＰＵは電源基板から駆動電源が供給されることで起動した場合にはステップＳ１の初期化処理でＲＡＭを初期設定し、ステップＳ２でＥＥＰＲＯＭからカウンタＮ１の値とカウンタＮ２の値とカウンタＮ３の値とカウンタＮ４の値とカウンタＮ５の値とカウンタＮ６の値とカウンタＮ７の値のそれぞれを検出し、カウンタＮ１の値の検出結果〜カウンタＮ７の値の検出結果の７種類のそれぞれをＲＡＭに記録する。
【００４５】
主制御回路６６のＣＰＵはステップＳ２でカウンタＮ１〜Ｎ７の７種類の値のそれぞれをＲＡＭに記録すると、ステップＳ３でメモリクリアスイッチ４９がオン状態にあるか否かを判断する。ここでメモリクリアスイッチ４９がオン状態にあると判断した場合にはステップＳ４でＥＥＰＲＯＭのカウンタＮ１〜Ｎ７の７種類の値のそれぞれに初期値「０」を設定し、ステップＳ５でＲＡＭのカウンタＮ１〜Ｎ７の７種類の値のそれぞれに初期値「０」を設定し、ステップＳ６で２個のよく洗うＬＥＤ６１と２個のよくすすぐＬＥＤ６２と２個のよく乾かすＬＥＤ６３と２個の節約するＬＥＤ６４と２個の速くするＬＥＤ６５の１０個のそれぞれを消灯状態にする。即ち、ＥＥＰＲＯＭのカウンタＮ１〜Ｎ７の７種類の値およびＲＡＭのカウンタＮ１〜Ｎ７の７種類の値のそれぞれは使用者が運転コースを開始する前にメモリクリアスイッチ４９のキー５０を操作することで初期値「０」にリセットされる。
１．運転コース設定処理１
主制御回路６６のＣＰＵは図８のステップＳ７へ移行すると、洗濯スイッチ３７がオン状態にあるか否かを判断する。ここで洗濯スイッチ３７がオン状態にあると判断した場合にはステップＳ８の運転コース設定処理１へ移行し、ステップＳ８の運転コース設定処理１を終えた場合にはステップＳ９でスタートスイッチ３６がオン状態にあるか否かを判断し、ステップＳ９でスタートスイッチ３６がオン状態にあると判断した場合にはステップＳ２３の運転コース実行処理へ移行する。
【００４６】
運転コース設定処理１は図４の左列の「標準洗濯コース」〜「クリーン洗濯コース」の６種類の運転コースのうちからカウンタＮの値に応じた一つの運転コースを選択し、運転コースの選択結果に応じたＬＥＤ６０を点灯状態にすることで表示プレート５９の名称「標準」「少量」「ドライ」「毛布」「メモリー」「クリーン」のうち運転コースの選択結果に応じた一つのものを照明するものであり、運転コースの選択状態では洗いスイッチ４０がオン状態にあると判断する毎に洗い時間に一定値を加算し、すすぎスイッチ４１がオン状態にあると判断する毎に図６のすすぎパターンテーブルから順位が「１」だけ上のすすぎパターンを検出し、脱水スイッチ４２がオン状態にあると判断する毎に脱水時間に一定値を加算する。これら洗い時間の加算処理とすすぎパターンの検出処理と脱水時間の加算処理のそれぞれはＲＯＭに予め記録された一定の初期値（０）を基準に行われるものである。この運転コース設定処理１は使用者がダイアル５６を回転操作することで洗濯用の一つの運転コースを選択し、運転コースの選択状態で洗いスイッチ４０のキー５０を操作することで洗い時間を数値で一定の初期値を基準に設定し、運転コースの選択状態ですすぎスイッチ４１のキー５０を操作することですすぎパターンを数値で一定の初期値を基準に設定し、運転コースの選択状態で脱水スイッチ４２のキー５０を操作することで脱水時間を数値で一定の初期値を基準に設定するものであり、洗い時間とすすぎパターンと脱水時間のそれぞれはドラム７内の洗濯物の重量とは無関係にキー５０の操作回数に応じて設定される。
２．運転コース設定処理２
主制御回路６６のＣＰＵは図８のステップＳ７で洗濯スイッチ３７がオン状態にないと判断すると、ステップＳ１０で洗乾スイッチ３８がオン状態にあるか否かを判断する。ここで洗乾スイッチ３８がオン状態にあると判断した場合にはステップＳ１１の運転コース設定処理２へ移行し、ステップＳ１１の運転コース設定処理２を終えた場合にはステップＳ１２でスタートスイッチ３６がオン状態にあるか否かを判断し、ステップＳ１２でスタートスイッチ３６がオン状態にあると判断した場合にはステップＳ２３の運転コース実行処理へ移行する。
【００４７】
運転コース設定処理２は図４の中列の「標準洗乾コース」〜「クリーン洗乾コース」の５種類の運転コースのうちからカウンタＮの値に応じた一つの運転コースを選択し、運転コースの選択結果に応じたＬＥＤ６０を点灯状態にすることで表示プレート５９の名称「標準」「少量」「ドライ」「毛布」「メモリー」「クリーン」のうち運転コースの選択結果に応じた一つのものを照明するものであり、運転コースの選択状態では洗いスイッチ４０がオン状態にあると判断する毎に洗い時間に一定値を加算し、すすぎスイッチ４１がオン状態にあると判断する毎に図６のすすぎパターンテーブルから順位が「１」だけ上のすすぎパターンを検出し、乾燥スイッチ４３がオン状態にあると判断する毎に乾燥率に一定値を加算する。これら洗い時間の加算処理とすすぎパターンの検出処理と乾燥率の加算処理のそれぞれはＲＯＭに予め記録された一定の初期値（０）を基準に行われるものである。この運転コース設定処理２は使用者がダイアル５６を回転操作することで洗乾用の一つの運転コースを選択し、運転コースの選択状態で洗いスイッチ４０のキー５０を操作することで洗い時間を数値で一定の初期値を基準に設定し、運転コースの選択状態ですすぎスイッチ４１のキー５０を操作することですすぎパターンを数値で一定の初期値を基準に設定し、運転コースの選択状態で乾燥スイッチ４３のキー５０を操作することで乾燥率を数値で一定の初期値を基準に設定するものであり、洗い時間とすすぎパターンと乾燥率のそれぞれはドラム７内の洗濯物の重量とは無関係にキー５０の操作回数に応じて設定される。
３．運転コース設定処理３
主制御回路６６のＣＰＵは図８のステップＳ１０で洗乾スイッチ３８がオン状態にないと判断すると、ステップＳ１３で乾燥スイッチ３９がオン状態にあるか否かを判断する。ここで乾燥スイッチ３９がオン状態にあると判断した場合にはステップＳ１４の運転コース設定処理３へ移行し、ステップＳ１４の運転コース設定処理３を終えた場合にはステップＳ１５でスタートスイッチ３６がオン状態にあるか否かを判断し、ステップＳ１５でスタートスイッチ３６がオン状態にあると判断した場合にはステップＳ２３の運転コース実行処理へ移行する。
【００４８】
運転コース設定処理３は図４の右列の「標準乾燥コース」〜「クリーン乾燥コース」の４種類の運転コースのうちからカウンタＮの値に応じた一つの運転コースを選択し、運転コースの選択結果に応じたＬＥＤ６０を点灯状態にすることで表示プレート５９の名称「標準」「少量」「ドライ」「毛布」「メモリー」「クリーン」のうち運転コースの選択結果に応じた一つのものを照明するものであり、運転コースの選択状態では乾燥スイッチ４３がオン状態にあると判断する毎に乾燥時間に一定値を加算する。この乾燥時間の加算処理はＲＯＭに予め記録された一定の初期値（０）を基準に行われるものである。この運転コース設定処理３は使用者がダイアル５６を回転操作することで乾燥用の一つの運転コースを選択し、運転コースの選択状態で乾燥スイッチ４３のキー５０を操作することで乾燥率を数値で一定の初期値を基準に設定するものであり、乾燥率はドラム７内の洗濯物の重量とは無関係にキー５０の操作回数に応じて設定される。
４．標準洗乾コース修正処理
主制御回路６６のＣＰＵは図８のステップＳ１３で乾燥スイッチ３９がオン状態にないと判断すると、ステップＳ１６のよく洗うスイッチ処理とステップＳ１７のよくすすぐスイッチ処理とステップＳ１８のよく乾かすスイッチ処理とステップＳ１９の節約するスイッチ処理とステップＳ２０の速くするスイッチ処理のそれぞれへ順に移行する。これらよく洗うスイッチ処理〜速くするスイッチ処理のそれぞれは全ての運転コースのうちで使用頻度が最も高い「標準洗乾コース」の運転内容を前回の「標準洗乾コース」での洗濯物の仕上り状態を参考に使用者が好みで修正するものであり、使用者が洗濯スイッチ３７のキー５０と洗乾スイッチ３８のキー５０と乾燥スイッチ３９のキー５０をいずれも操作することなくスタートスイッチ３６のキー５０を操作した場合にはＣＰＵはステップＳ２１でスタートスイッチ３６がオン状態にあると判断し、ステップＳ１６のよく洗うスイッチ処理〜ステップＳ２０の速くするスイッチ処理のそれぞれを終える。
４−１．よく洗うスイッチ処理
図９はよく洗うスイッチ処理であり、主制御回路６６のＣＰＵはステップＳ３１でよく洗うスイッチ４４がオン状態にあるか否かを判断する。ここでよく洗うスイッチ４４がオン状態にあると判断した場合にはステップＳ３２へ移行し、ＲＡＭのカウンタＮ１１の値を「２」と比較する。このカウンタＮ１１はよく洗うスイッチ４４のキー５０の有効な操作回数を計測するものであり、ステップＳ１で初期値「０」に設定される。
【００４９】
主制御回路６６のＣＰＵはステップＳ３２でカウンタＮ１１の値が「２」に到達していないと判断すると、ステップＳ３３でＲＡＭのカウンタＮ１の値に一定値「１」を加算し、ステップＳ３４でＲＡＭのカウンタＮ２の値に一定値「０．１」を加算する。そして、ステップＳ３５でＲＡＭのカウンタＮ１１の値に一定値「１」を加算し、ステップＳ３６で１個のよく洗うＬＥＤ６１を点灯状態にする。即ち、よく洗うスイッチ４４は使用者が洗濯スイッチ３７のキー５０と洗乾スイッチ３８のキー５０と乾燥スイッチ３９のキー５０をいずれも操作していない状態で有効化されるものであり、よく洗うスイッチ４４の有効状態でよく洗うスイッチ４４のキー５０が１回目に操作された場合および２回目に操作された場合のそれぞれにはＲＡＭのカウンタＮ１の値とＲＡＭのカウンタＮ２の値とＲＡＭのカウンタＮ１１の値のそれぞれに一定値が加算される。
【００５０】
主制御回路６６のＣＰＵはステップＳ３２でＲＡＭのカウンタＮ１１の値が「２」に到達していると判断すると、ステップＳ３７で表示器５８にエラーメッセージ「これ以上に設定を変更することはできません。」を表示する。即ち、よく洗うスイッチ４４のキー５０の有効な操作回数には上限値「２回」が設定されており、よく洗うスイッチ４４のキー５０が３回目に操作された場合にはＲＡＭのカウンタＮ１の値とＲＡＭのカウンタＮ２の値とＲＡＭのカウンタＮ１１の値のそれぞれが加算されることなく、表示器５８にエラーメッセージが表示される。
４−２．よくすすぐスイッチ処理
図１０はよくすすぐスイッチ処理であり、主制御回路６６のＣＰＵはステップＳ４１でよくすすぐスイッチ４５がオン状態にあるか否かを判断する。ここでよくすすぐスイッチ４５がオン状態にあると判断した場合にはステップＳ４２へ移行し、ＲＡＭのカウンタＮ１２の値を「２」と比較する。このカウンタＮ１２はよくすすぐスイッチ４５のキー５０の有効な操作回数を計測するものであり、ステップＳ１で初期値「０」に設定される。
【００５１】
主制御回路６６のＣＰＵはステップＳ４２でカウンタＮ１２の値が「２」に到達していないと判断すると、ステップＳ４３でＲＡＭのカウンタＮ３の値に一定値「１」を加算し、ステップＳ４４でＲＡＭのカウンタＮ４の値に一定値「２」を加算する。そして、ステップＳ４５でＲＡＭのカウンタＮ１２の値に一定値「１」を加算し、ステップＳ４６で１個のよくすすぐＬＥＤ６２を点灯状態にする。即ち、よくすすぐスイッチ４５は使用者が洗濯スイッチ３７のキー５０と洗乾スイッチ３８のキー５０と乾燥スイッチ３９のキー５０をいずれも操作していない状態で有効化されるものであり、よくすすぐスイッチ４５の有効状態でよくすすぐスイッチ４５のキー５０が１回目に操作された場合および２回目に操作された場合のそれぞれにはＲＡＭのカウンタＮ３の値とＲＡＭのカウンタＮ４の値とＲＡＭのカウンタＮ１２の値のそれぞれに一定値が加算される。
【００５２】
主制御回路６６のＣＰＵはステップＳ４２でＲＡＭのカウンタＮ１２の値が「２」に到達していると判断すると、ステップＳ４７で表示器５８にエラーメッセージ「これ以上に設定を変更することはできません。」を表示する。即ち、よくすすぐスイッチ４５のキー５０の有効な操作回数には上限値「２回」が設定されており、よくすすぐスイッチ４５のキー５０が３回目に操作された場合にはＲＡＭのカウンタＮ３の値とＲＡＭのカウンタＮ４の値とＲＡＭのカウンタＮ１２の値のそれぞれが加算されることなく、表示器５８にエラーメッセージが表示される。
４−３．よく乾かすスイッチ処理
図１１はよく乾かすスイッチ処理であり、主制御回路６６のＣＰＵはステップＳ５１でよく乾かすスイッチ４６がオン状態にあるか否かを判断する。ここでよく乾かすスイッチ４６がオン状態にあると判断した場合にはステップＳ５２へ移行し、ＲＡＭのカウンタＮ１３の値を「２」と比較する。このカウンタＮ１３はよく乾かすスイッチ４６のキー５０の有効な操作回数を計測するものであり、ステップＳ１で初期値「０」に設定される。
【００５３】
主制御回路６６のＣＰＵはステップＳ５２でＲＡＭのカウンタＮ１３の値が「２」に到達していないと判断すると、ステップＳ５３でＲＡＭのカウンタＮ６の値に一定値「１」を加算し、ステップＳ５４でＲＡＭのカウンタＮ７の値に一定値「１」を加算する。そして、ステップＳ５５でＲＡＭのカウンタＮ１３の値に一定値「１」を加算し、ステップＳ５６で１個のよく乾かすＬＥＤ６３を点灯状態にする。即ち、よく乾かすスイッチ４６のキー５０は使用者が洗濯スイッチ３７のキー５０と洗乾スイッチ３８のキー５０と乾燥スイッチ３９のキー５０をいずれも操作していない状態で有効化されるものであり、よく乾かすスイッチ４６の有効状態でよく乾かすスイッチ４６のキー５０が１回目に操作された場合および２回目に操作された場合のそれぞれにはＲＡＭのカウンタＮ６の値とＲＡＭのカウンタＮ７の値とＲＡＭのカウンタＮ１３の値のそれぞれに一定値が加算される。
【００５４】
主制御回路６６のＣＰＵはステップＳ５２でＲＡＭのカウンタＮ１３の値が「２」に到達していると判断すると、ステップＳ５７で表示器５８にエラーメッセージ「これ以上に設定を変更することはできません。」を表示する。即ち、よく乾かすスイッチ４６のキー５０の有効な操作回数には上限値「２回」が設定されており、よく乾かすスイッチ４６のキー５０が３回目に操作された場合にはＲＡＭのカウンタＮ６の値とＲＡＭのカウンタＮ７の値とＲＡＭのカウンタＮ１３の値のそれぞれが加算されることなく、表示器５８にエラーメッセージが表示される。
４−４．節約するスイッチ処理
図１２は節約するスイッチ処理であり、主制御回路６６のＣＰＵはステップＳ６１で節約するスイッチ４７がオン状態にあるか否かを判断する。ここで節約するスイッチ４７がオン状態にあると判断した場合にはステップＳ６２へ移行し、ＲＡＭのカウンタＮ１４の値を「２」と比較する。このカウンタＮ１４は節約するスイッチ４７のキー５０の有効な操作回数を計測するものであり、ステップＳ１で初期値「０」に設定される。
【００５５】
主制御回路６６のＣＰＵはステップＳ６２でＲＡＭのカウンタＮ１４の値が「２」に到達していないと判断すると、ステップＳ６３でＲＡＭのカウンタＮ２の値から一定値「０．１」を減算し、ステップＳ６４でＲＡＭのカウンタＮ３の値から一定値「１」を減算し、ステップＳ６５でＲＡＭのカウンタＮ４の値から一定値「２」を減算し、ステップＳ６６でＲＡＭのカウンタＮ７の値から一定値「１」を減算する。そして、ステップＳ６７でＲＡＭのカウンタＮ１４の値に一定値「１」を加算し、ステップＳ６８で１個の節約するＬＥＤ６４を点灯状態にする。即ち、節約するスイッチ４７は使用者が洗濯スイッチ３７のキー５０と洗乾スイッチ３８のキー５０と乾燥スイッチ３９のキー５０をいずれも操作していない状態で有効化されるものであり、節約するスイッチ４７の有効状態で節約するスイッチ４７のキー５０が１回目に操作された場合および２回目に操作された場合のそれぞれにはＲＡＭのカウンタＮ２の値とＲＡＭのカウンタＮ３の値とＲＡＭのカウンタＮ４の値とＲＡＭのカウンタＮ７の値のそれぞれから一定値が減算され、ＲＡＭのカウンタＮ１４の値に一定値が加算される。
【００５６】
主制御回路６６のＣＰＵはステップＳ６２でＲＡＭのカウンタＮ１４の値が「２」に到達していると判断すると、ステップＳ６９で表示器５８にエラーメッセージ「これ以上に設定を変更することはできません。」を表示する。即ち、節約するスイッチ４７のキー５０の有効な操作回数には上限値「２回」が設定されており、節約するスイッチ４７のキー５０が３回目に操作された場合にはＲＡＭのカウンタＮ２の値とＲＡＭのカウンタＮ３の値とＲＡＭのカウンタＮ４の値とＲＡＭのカウンタＮ７の値のそれぞれから一定値が減算されることなくＲＡＭのカウンタＮ１４の値に一定値が加算されることもなく、表示器５８にエラーメッセージが表示される。
４−５．速くするスイッチ処理
図１３は速くするスイッチ処理であり、主制御回路６６のＣＰＵはステップＳ７１で速くするスイッチ４８がオン状態にあるか否かを判断する。ここで速くするスイッチ４８がオン状態にあると判断した場合にはステップＳ７２へ移行し、ＲＡＭのカウンタＮ１５の値を「２」と比較する。このカウンタＮ１５は速くするスイッチ４８の有効な操作回数を計測するものであり、ステップＳ１で初期値「０」に設定される。
【００５７】
主制御回路６６のＣＰＵはステップＳ７２でＲＡＭのカウンタＮ１５の値が「２」に到達していないと判断すると、ステップＳ７３でＲＡＭのカウンタＮ１の値から一定値「１」を減算し、ステップＳ７４でＲＡＭのカウンタＮ３の値から一定値「１」を減算し、ステップＳ７５でＲＡＭのカウンタＮ５の値から一定値「１」を減算し、ステップＳ７６でＲＡＭのカウンタＮ６の値から一定値「１」を減算する。そして、ステップＳ７７でＲＡＭのカウンタＮ１５の値に一定値「１」を加算し、ステップＳ７８で１個の速くするＬＥＤ６５を点灯状態にする。即ち、速くするスイッチ４８のキー５０は使用者が洗濯スイッチ３７のキー５０と洗乾スイッチ３８のキー５０と乾燥スイッチ３９のキー５０をいずれも操作していない状態で有効化されるものであり、速くするスイッチ４８の有効状態で速くするスイッチ４８のキー５０が１回目に操作された場合および２回目に操作された場合のそれぞれにはＲＡＭのカウンタＮ１の値とＲＡＭのカウンタＮ３の値とＲＡＭのカウンタＮ５の値とＲＡＭのカウンタＮ６の値のそれぞれから一定値が減算され、ＲＡＭのカウンタＮ１５の値に一定値が加算される。
【００５８】
主制御回路６６のＣＰＵはステップＳ７２でＲＡＭのカウンタＮ１５の値が「２」に到達していると判断すると、ステップＳ７９で表示器５８にエラーメッセージ「これ以上に設定を変更することはできません。」を表示する。即ち、速くするスイッチ４８のキー５０の有効な操作回数には上限値「２回」が設定されており、速くするスイッチ４８のキー５０が３回目に操作された場合にはＲＡＭのカウンタＮ１の値とＲＡＭのカウンタＮ３の値とＲＡＭのカウンタＮ５の値とＲＡＭのカウンタＮ６の値のそれぞれから一定値が減算されることなくＲＡＭのカウンタＮ１５の値に一定値が加算されることもなく、表示器５８にエラーメッセージが表示される。
５．運転コース設定処理４
主制御回路６６のＣＰＵは図８のステップＳ２１でスタートスイッチ３６がオン状態にあると判断すると、ステップＳ２２の運転コース設定処理４へ移行する。この運転コース設定処理４は運転コースを「標準洗乾コース」に設定し、「標準洗乾コース」に応じた一つのＬＥＤ６０を点灯状態にすることで表示プレート５９の名称「標準」を照明するものであり、ＣＰＵはステップＳ２２の運転コース設定処理４を終えた場合にはステップＳ２３の運転コース実行処理へ移行する。即ち、運転コースは使用者が電源の投入後に洗濯スイッチ３７のキー５０と洗乾スイッチ３８のキー５０と乾燥スイッチ３９のキー５０をいずれも操作することなくスタートスイッチ３６のキー５０を操作した場合に「標準洗乾コース」に自動的に設定されるものであり、「標準洗乾コース」の処理内容は使用者がスタートスイッチ３６のキー５０を操作する前によく洗うスイッチ４４のキー５０とよくすすぐスイッチ４５のキー５０とよく乾かすスイッチ４６のキー５０と節約するスイッチ４７のキー５０と速くするスイッチ４８のキー５０のそれぞれを操作することで修正される。
６．運転コース実行処理
主制御回路６６のＣＰＵは図８のステップＳ２３の運転コース実行処理へ移行すると、ドラムモータ５と給水弁モータ１１と排水弁モータ１６とファンモータ２３とコンプモータ３４のそれぞれを運転コースの設定結果に応じて電気的に制御することで運転コースの設定結果を実行する。
６−１．洗濯物量判定処理
図１４は「標準洗乾燥コース」が設定された場合の運転コース実行処理であり、主制御回路６６のＣＰＵはステップＳ８１の洗濯物量判定処理でインバータ制御回路７６にセンシング開始コマンドおよびセンシング停止コマンドのそれぞれを順に送信する。このセンシング停止コマンドはセンシング開始コマンドが送信されたことを基準に一定時間が経過した時点で送信されるものであり、インバータ制御回路７６はセンシング開始コマンドを受信した場合にはインバータ回路７８の制御を一定のセンシングパターンで開始する。このセンシングパターンはドラムモータ５を静止状態から一定方向へ回転操作するものであり、インバータ制御回路７６はセンシング停止コマンドを受信した場合には速度センサ７７からの出力信号に基づいてドラムモータ５の回転速度を検出し、ドラムモータ５の回転速度を検出した場合にドラムモータ５を運転停止し、ドラムモータ５を運転停止した場合に主制御回路６６に回転速度の検出結果を送信する。
【００５９】
主制御回路６６のＣＰＵは回転速度の検出結果を受信すると、回転速度の受信結果が高重量判定範囲と中重量判定範囲（＜高重量判定範囲）と低重量判定範囲（＜中重量判定範囲）のいずれにあるかを判断する。これら高重量判定範囲と中重量判定範囲と低重量判定範囲のそれぞれは主制御回路６６のＲＯＭに予め記録されたものであり、ＣＰＵは回転速度の受信結果が高重量判定範囲内にあると判断した場合には洗濯物量が高重量であると判定し、回転速度の受信結果が中重量判定範囲内にあると判断した場合には洗濯物量が中重量（＜高重量）であると判定し、回転速度の受信結果が低重量判定範囲内にあると判断した場合には洗濯物量が低重量（＜中重量）であると判定する。即ち、洗濯物量判定処理はドラムモータ５を運転開始してから一定時間が経過した時点でのドラムモータ５の回転速度の実測結果に基づいてドラム５内の洗濯物の重量を段階的に判定するものである。
６−２．運転情報設定処理
６−２−１．洗い時間の修正
主制御回路６６のＣＰＵはステップＳ８１の洗濯物量判定処理を終えると、ステップＳ８２の運転情報設定処理へ移行する。図１５および図１６のそれぞれは運転情報設定処理であり、ＣＰＵは図１５のステップＳ１０１で洗い時間が設定されているか否かを判断する。この洗い時間は使用者が図８のステップＳ１１の運転コース設定処理２で「標準洗乾コース」を選択した状態で洗いスイッチ４０のキー５０を操作した場合に設定されるものであり、ＣＰＵはステップＳ１０１で洗い時間が設定されていると判断した場合にはステップＳ１０８でＲＡＭのタイマＴｗの値に洗い時間の設定結果を設定する。このタイマＴｗの値はステップＳ１で初期値「０」に設定されるものであり、ＣＰＵはステップＳ１０８でタイマＴｗの値を設定した場合にはステップＳ１０９で表示器５８にタイマＴｗの値の設定結果を洗い時間として表示する。
【００６０】
主制御回路６６のＣＰＵはステップＳ１０１で洗い時間が設定されていないと判断すると、ステップＳ１０２で図５の（ａ）の洗い時間テーブルから洗濯物量の判定結果に応じた洗い時間を選択する。そして、洗い時間の選択結果にＲＡＭのカウンタＮ１の値を加算し、ステップＳ１０３で洗い時間の加算結果が下限値「５分」以下であるか否かを判断する。この下限値「５分」は主制御回路６６のＲＯＭに予め記録されたものであり、ＣＰＵはステップＳ１０３で洗い時間の加算結果が下限値「５分」以下であると判断した場合にはステップＳ１０４で下限値「５分」をタイマＴｗの値に設定し、ステップＳ１０９でタイマＴｗの値の設定結果を表示器５８に表示する。
【００６１】
主制御回路６６のＣＰＵはステップＳ１０３で洗い時間の加算結果が下限値「５分」以下でないと判断すると、ステップＳ１０５で洗い時間の加算結果が上限値「３０分」以上であるか否かを判断する。この上限値「３０分」は主制御回路６６のＲＯＭに予め記録されたものであり、ＣＰＵはステップＳ１０５で洗い時間の加算結果が上限値「３０分」以上であると判断した場合にはステップＳ１０６で上限値「３０分」をタイマＴｗの値に設定し、ステップＳ１０５で洗い時間の加算結果が上限値「３０分」以上でないと判断した場合にはステップＳ１０７で洗い時間の加算結果をタイマＴｗの値に設定し、いずれの場合にもステップＳ１０９でタイマＴｗの値の設定結果を表示器５８に表示する。
【００６２】
使用者がよく洗うスイッチ４４のキー５０を有効に操作した場合には洗濯物量に応じて設定された洗い時間によく洗うスイッチ４４のキー５０の操作回数に応じた時間が加算されることで洗濯物量に応じて設定された洗い時間が使用者の好みに応じて修正され、使用者が速くするスイッチ４８のキー５０を有効に操作した場合には洗濯物量に応じて設定された洗い時間から速くするスイッチ４８のキー５０の操作回数に応じた時間が減算されることで洗濯物量に応じて設定された洗い時間が使用者の好みに応じて修正される。この洗い時間には下限値および上限値のそれぞれが設定されており、洗い時間の修正は下限値および上限値の範囲内で１分単位で許容される。この洗い時間はパラメータに相当する。
６−２−２．洗剤量の修正
主制御回路６６のＣＰＵはステップＳ１０９で表示器５８にタイマＴｗの値の設定結果を表示すると、ステップＳ１１０で図５の（ｂ）の洗剤量テーブルから洗濯物量の判定結果に応じた洗剤量を選択する。そして、ＲＡＭのカウンタＮ２の値を洗剤量の選択結果に加算し、ステップＳ１１１で洗剤量の加算結果が下限値「０．４」以下であるか否かを判断する。この下限値「０．４」は主制御回路６６のＲＯＭに予め記録されたものであり、ＣＰＵはステップＳ１１１で洗剤量の加算結果が下限値「０．４」以下であると判断した場合にはステップＳ１１２で洗剤量として下限値「０．４」を表示器５８に表示する。
【００６３】
主制御回路６６のＣＰＵはステップＳ１１１で洗剤量の加算結果が下限値「０．４」以下でないと判断すると、ステップＳ１１３で洗剤量の加算結果が上限値「１．３」以上であるか否かを判断する。この上限値「１．３」は主制御回路６６のＲＯＭに予め記録されたものであり、ＣＰＵはステップＳ１１３で洗剤量の加算結果が上限値「１．３」以上であると判断した場合にはステップＳ１１４で洗剤量として上限値「１．３」を表示器５８に表示し、ステップＳ１１３で洗剤量の加算結果が上限値「１．３」以上でないと判断した場合にはステップＳ１１５で洗剤量として洗剤量の加算結果を表示器５８に表示する。
【００６４】
使用者がよく洗うスイッチ４４のキー５０を有効に操作した場合には洗濯物量に応じて設定された洗剤量によく洗うスイッチ４４のキー５０の操作回数に応じた値が加算されることで洗濯物量に応じて設定された洗剤量が使用者の好みに応じて修正され、使用者が節約するスイッチ４７のキー５０を有効に操作した場合には洗濯物量に応じて設定された洗剤量から節約するスイッチ４７のキー５０の操作回数に応じた値が減算されることで洗濯物量に応じて設定された洗剤量が使用者の好みに応じて修正される。この洗剤量には下限値および上限値のそれぞれが設定されており、洗剤量の表示値の修正は下限値および上限値の範囲内で「０．２」単位で許容される。この洗剤量はパラメータに相当する。
６−２−３．すすぎパターンの修正
主制御回路６６のＣＰＵはステップＳ１１２またはステップＳ１１４またはステップＳ１１５で表示器５８に洗剤量を表示すると、ステップＳ１１６ですすぎパターンが設定されているか否かを判断する。このすすぎパターンは使用者が図８のステップＳ１１の運転コース設定処理２で「標準洗乾コース」を選択した状態ですすぎスイッチ４１のキー５０を操作した場合に設定されるものであり、ＣＰＵはステップＳ１１６ですすぎパターンが設定されていると判断した場合にはステップＳ１２０へ移行する。
【００６５】
主制御回路６６のＣＰＵはステップＳ１１６ですすぎパターンが設定されていないと判断すると、ステップＳ１１７で図５の（ｃ）のすすぎテーブルから洗濯物量の判定結果に応じたすすぎパターンを選択し、ステップＳ１１８でＲＡＭのカウンタＮ３の値が「０」であるか否かを判断する。ここでＲＡＭのカウンタＮ３の値が「０」であると判断した場合にはすすぎパターンの選択結果を変更することなくステップＳ１２０へ移行し、ＲＡＭのカウンタＮ３の値が「０」でないと判断した場合にはステップＳ１１９へ移行する。
【００６６】
主制御回路６６のＣＰＵはステップＳ１１９へ移行すると、ＲＡＭのカウンタＮ３の値に応じてすすぎパターンの選択結果を変更する。このすすぎパターンの変更処理はＲＡＭのカウンタＮ３の値がプラスである場合には図６のすすぎパターンテーブルからすすぎパターンの選択結果に対してＲＡＭのカウンタＮ３の値だけ順位が大きなすすぎパターンを選択することで行われ、ＲＡＭのカウンタＮ３の値がマイナスである場合には図６のすすぎパターンテーブルからすすぎパターンの選択結果に対してＲＡＭのカウンタＮ３の値だけ順位が小さなすすぎパターンを選択することで行われるものであり、ＣＰＵはステップＳ１１９ですすぎパターンの選択結果を変更した場合にはステップＳ１２０へ移行する。
【００６７】
例えばすすぎパターンの選択結果が「３回注水」でＲＡＭのカウンタＮ３の値が「２」である場合には「３回注水」が「４回注水」に変更され、すすぎパターンの選択結果が「３回注水」でＲＡＭのカウンタＮ３の値が「−２」である場合には「３回注水」が「２回注水」に変更される。このすすぎパターンの変更処理は「４回注水」および「１回」のそれぞれを限度に行われるものであり、ＲＡＭのカウンタＮ３の値だけ順位が大きなすすぎパターンが存在しない場合にはすすぎパターンの選択結果が上限のすすぎパターン「４回注水」に変更され、ＲＡＭのカウンタＮ３の値だけ順位が小さなすすぎパターンが存在しない場合にはすすぎパターンの選択結果が下限のすすぎパターン「１回」に変更される。例えばすすぎパターンの選択結果が「３回注水」でＲＡＭのカウンタＮ３の値が「３」である場合には「３回注水」が「４回注水」に変更され、すすぎパターンの選択結果が「１回注水」でＲＡＭのカウンタＮ３の値が「−２」である場合には「１回注水」が「１回」に変更される。
【００６８】
使用者がよくすすぐスイッチ４５のキー５０を有効に操作した場合には洗濯物量に応じて設定されたすすぎパターンがよくすすぐスイッチ４５のキー５０の操作回数に応じてすすぎ能力が高いものに修正され、使用者が節約するスイッチ４７のキー５０を有効に操作した場合には洗濯物量に応じて設定されたすすぎパターンが節約するスイッチ４７のキー５０の操作回数に応じて水道水の使用量および電力の使用量のそれぞれが少ないものに修正され、使用者が速くするスイッチ４８のキー５０を有効に操作した場合には洗濯物量に応じて設定されたすすぎパターンが速くするスイッチ４８のキー５０の操作回数に応じて所要時間が短いものに修正される。このすすぎパターンには下限のすすぎパターンおよび上限のすすぎパターンのそれぞれが設定されており、すすぎパターンの修正は下限のすすぎパターンおよび上限のすすぎパターンの範囲内で順位「１」単位で許容される。このすすぎパターンはパラメータに相当する。
【００６９】
主制御回路６６のＣＰＵはステップＳ１２０へ移行すると、ＲＡＭのカウンタＮ２１の値にすすぎパターンの選択結果に応じた値を設定する。このカウンタＮ２１は図１４のステップＳ８８の注水すすぎ処理の繰返し回数を計測するものであり、すすぎパターンの選択結果が「１回注水」である場合にはカウンタＮ２１の値に「１」が設定され、すすぎパターンの選択結果が「２回注水」である場合にはカウンタＮ２１の値に「２」が設定され、すすぎパターンの選択結果が「３回注水」である場合にはカウンタＮ２１の値に「３」が設定され、すすぎパターンの選択結果が「４回注水」である場合にはカウンタＮ２１の値に「４」が設定され、すすぎパターンの選択結果が「１回」「２回」「３回」「４回」のそれぞれである場合にはカウンタＮ２１の値に「０」が設定される。
【００７０】
主制御回路６６のＣＰＵはステップＳ１２０でＲＡＭのカウンタＮ２１の値を設定すると、ステップＳ１２１でＲＡＭのカウンタＮ２２の値にすすぎパターンの選択結果に応じた値を設定し、ステップＳ１２２ですすぎパターンの選択結果を表示器５８に表示する。このカウンタＮ２２は図１４のステップＳ９３のためすすぎ処理の繰返し回数を計測するものであり、すすぎパターンの選択結果が「１回」である場合にはカウンタＮ２２の値に「１」が設定され、すすぎパターンの選択結果が「２回」である場合にはカウンタＮ２２の値に「２」が設定され、すすぎパターンの選択結果が「３回」である場合にはカウンタＮ２２の値に「３」が設定され、すすぎパターンの選択結果が「４回」である場合にはカウンタＮ２２の値に「４」が設定され、すすぎパターンの選択結果が「１回注水」「２回注水」「３回注水」「４回注水」のそれぞれである場合にはカウンタＮ２２の値に「０」が設定される。
６−２−４．水量の修正
主制御回路６６のＣＰＵはステップＳ１２２で表示器５８にすすぎパターンを表示すると、ステップＳ１２３で図５の（ｄ）の水量テーブルから洗濯物量の判定結果に応じた水量を選択する。そして、ＲＡＭのカウンタＮ４の値を水量の選択結果に加算し、ステップＳ１２４で水量の加算結果が下限値「８Ｌ（リットル）」以下であるか否かを判断する。この下限値「８Ｌ」は主制御回路６６のＲＯＭに予め記録されたものであり、ＣＰＵはステップＳ１２４で水量の加算結果が下限値「８Ｌ」以下であると判断した場合にはステップＳ１２５で水量を下限値「８Ｌ」に設定し、ステップＳ１２９で表示器５８に水量の設定結果を表示する。
【００７１】
主制御回路６６のＣＰＵはステップＳ１２４で水量の加算結果が下限値「８Ｌ」以下でないと判断すると、ステップＳ１２６で水量の加算結果が上限値「３２Ｌ」以上であるか否かを判断する。この上限値「３２Ｌ」は主制御回路６６のＲＯＭに予め記録されたものであり、ＣＰＵはステップＳ１２６で水量の加算結果が上限値「３２Ｌ」以上であると判断した場合にはステップＳ１２７で水量を上限値「３２Ｌ」に設定し、ステップＳ１２６で水量の加算結果が上限値「３２Ｌ」以上でないと判断した場合にはステップＳ１２８で水量を水量の加算結果に設定し、いずれの場合にもステップＳ１２９で表示器５８に水量の設定結果を表示する。
【００７２】
使用者がよくすすぐスイッチ４５のキー５０を有効に操作した場合には洗濯物量に応じて設定された水量によく洗うスイッチ４５のキー５０の操作回数に応じた量が加算されることで洗濯物量に応じて設定された水量が使用者の好みに応じて修正され、使用者が節約するスイッチ４７のキー５０を有効に操作した場合には洗濯物量に応じて設定された水量から節約するスイッチ４７のキー５０の操作回数に応じた量が減算されることで洗濯物量に応じて設定された水量が使用者の好みに応じて修正される。この水量には下限値および上限値のそれぞれが設定されており、水量の修正は下限値および上限値の範囲内で「２Ｌ」単位で許容される。この水量はパラメータに相当する。
６−２−５．脱水時間の修正
主制御回路６６のＣＰＵはステップＳ１２９で表示器５８に水量を表示すると、図１６のステップＳ１３０で図５の（ｅ）の脱水時間テーブルから洗濯物量の判定結果に応じた脱水時間を選択する。そして、ＲＡＭのカウンタＮ５の値を脱水時間の選択結果に加算し、ステップＳ１３１で脱水時間の加算結果が下限値「１分」以下であるか否かを判断する。この下限値「１分」は主制御回路６６のＲＯＭに予め記録されたものであり、ＣＰＵはステップＳ１３１で脱水時間の加算結果が下限値「１分」以下であると判断した場合にはステップＳ１３２でＲＡＭのタイマＴｓの値を下限値「１分」に設定する。このタイマＴｓの値はステップＳ１で初期値「０」に設定されるものであり、ＣＰＵはステップＳ１３１で脱水時間の加算結果が下限値「１分」以下でないと判断した場合にはステップＳ１３３でＲＡＭのタイマＴｓの値を脱水時間の加算結果に設定し、いずれの場合にもステップＳ１３４でＲＡＭのタイマＴｓの値の設定結果を表示器５８に脱水時間として表示する。
【００７３】
使用者が速くするスイッチ４８のキー５０を有効に操作した場合には洗濯物量に応じて設定された脱水時間から速くするスイッチ４８のキー５０の操作回数に応じた時間が減算されることで洗濯物量に応じて設定された脱水時間が使用者の好みに応じて修正される。この脱水時間には下限値および上限値のそれぞれが設定されており、脱水時間の修正は上限値および下限値の範囲内で「１分」単位で許容される。この脱水時間はパラメータに相当する。
６−２−６．乾燥率の修正
主制御回路６６のＣＰＵはステップＳ１３４で表示器５８に脱水時間を表示すると、ステップＳ１３５で乾燥率が設定されているか否かを判断する。この乾燥率は使用者が図８のステップＳ１１の運転コース設定処理２で「標準洗乾コース」を選択した状態で乾燥スイッチ４３のキー５０を操作した場合に設定されるものであり、ＣＰＵはステップＳ１３５で乾燥率が設定されていると判断した場合にはステップＳ１４２で表示器５８に乾燥率の設定結果を表示する。
【００７４】
主制御回路６６のＣＰＵはステップＳ１３５で乾燥率が設定されていないと判断すると、ステップＳ１３６で図５の（ｆ）の乾燥率テーブルから洗濯物量の判定結果に応じた乾燥率を選択する。そして、ＲＡＭのカウンタＮ６の値を乾燥率の選択結果に加算し、ステップＳ１３７で乾燥率の加算結果が下限値「９５％」以下であるか否かを判断する。この下限値「９５％」は主制御回路６６のＲＯＭに予め記録されたものであり、ＣＰＵはステップＳ１３７で乾燥率の加算結果が下限値「９５％」以下であると判断した場合にはステップＳ１３８で乾燥率を下限値「９５％」に設定し、ステップＳ１４２で表示器５８に乾燥率の設定結果を表示する。
【００７５】
主制御回路６６のＣＰＵはステップＳ１３７で乾燥率の加算結果が下限値「９５％」以下でないと判断すると、ステップＳ１３９で乾燥率の加算結果が上限値「１０３％」以上であるか否かを判断する。この上限値「１０３％」は主制御回路６６のＲＯＭに予め記録されたものであり、ＣＰＵはステップＳ１３９で乾燥率の加算結果が上限値「１０３％」以上であると判断した場合にはステップＳ１４０で乾燥率を上限値「１０３％」に設定し、ステップＳ１３９で乾燥率の加算結果が上限値「１０３％」以上でないと判断した場合にはステップＳ１４１で乾燥率を乾燥率の加算結果に設定し、いずれの場合にもステップＳ１４２で表示器５８に乾燥率の設定結果を表示する。
【００７６】
使用者がよく乾かすスイッチ４６のキー５０を有効に操作した場合には洗濯物量に応じて設定された乾燥率によく乾かすスイッチ４６のキー５０の操作回数に応じた値が加算されることで洗濯物量に応じて設定された乾燥率が使用者の好みに応じて修正され、使用者が速くするスイッチ４８のキー５０を有効に操作した場合には洗濯物量に応じて設定された乾燥率から速くするスイッチ４８のキー５０の操作回数に応じた値が減算されることで洗濯物量に応じて設定された乾燥率が使用者の好みに応じて修正される。この乾燥率には下限値および上限値のそれぞれが設定されており、乾燥率の修正は下限値および上限値の範囲内で「１％」単位で許容される。この乾燥率はパラメータに相当する。
６−２−７．制御温度の修正
主制御回路６６のＣＰＵはステップＳ１４２で表示器５８に乾燥率を表示すると、ステップＳ１４３で図５の（ｇ）の制御温度テーブルから洗濯物量の判定結果に応じた制御温度を選択する。そして、ＲＡＭのカウンタＮ７の値を制御温度の選択結果に加算し、ステップＳ１４４で制御温度の加算結果が下限値「６６℃」以下であるか否かを判断する。この下限値「６６℃」は主制御回路６６のＲＯＭに予め記録されたものであり、ＣＰＵはステップＳ１４４で制御温度の加算結果が下限値「６６℃」以下であると判断した場合にはステップＳ１４５で制御温度を下限値「６６℃」に設定し、ステップＳ１４９で表示器５８に制御温度の設定結果を表示する。
【００７７】
主制御回路６６のＣＰＵはステップＳ１４４で制御温度の加算結果が下限値「６６℃」以下でないと判断すると、ステップＳ１４６で制御温度の加算結果が上限値「７４℃」以上であるか否かを判断する。この上限値「７４℃」は主制御回路６６のＲＯＭに予め記録されたものであり、ＣＰＵはステップＳ１４６で制御温度の加算結果が上限値「７４℃」以上であると判断した場合にはステップＳ１４７で制御温度を上限値「７４℃」に設定し、ステップＳ１４６で制御温度の加算結果が上限値「７４℃」以上でないと判断した場合にはステップＳ１４８で制御温度を制御温度の加算結果に設定し、いずれの場合にもステップＳ１４９で表示器５８に制御温度の設定結果を表示する。
【００７８】
使用者がよく乾かすスイッチ４６のキー５０を有効に操作した場合には洗濯物量に応じて設定された制御温度によく乾かすスイッチ４６のキー５０の操作回数に応じた値が加算されることで洗濯物量に応じて設定された制御温度が使用者の好みに応じて修正され、使用者が節約するスイッチ４７のキー５０を有効に操作した場合には洗濯物量に応じて設定された制御温度から節約するスイッチ４７のキー５０の操作回数に応じた値が減算されることで洗濯物量に応じて設定された制御温度が使用者の好みに応じて修正される。この制御温度には下限値および上限値のそれぞれが設定されており、制御温度の修正は下限値および上限値の範囲内で「１°Ｃ」単位で許容される。この制御温度はパラメータに相当する。
６−３．給水処理１
主制御回路６６のＣＰＵは図１４のステップＳ８２の運転情報設定処理を終えると、ステップＳ８３の給水処理１へ移行する。この給水処理１は給水電磁弁１１をオン状態にすることで給水弁１０を閉鎖状態から開放状態に切換え、排水弁モータ１６を回転操作することで排水弁１５を開放状態から閉鎖状態に切換え、水道の蛇口から注水ケース１２を通して水受槽４内に水道水を注入するものである。この給水弁１０の開放状態ではＣＰＵは水量センサ６７から出力される水量信号に基づいて水受槽４内の水量を検出しており、水量の検出結果がステップＳ８２の運転情報設定処理での水量の設定結果に到達したと判断した場合に給水電磁弁１１をオフ状態にすることで給水弁１０を開放状態から閉鎖状態に切換える。即ち、給水処理１は水受槽４内に水量の設定結果に応じた量の水道水を貯留するものである。この給水処理１では注水ケース１２内に洗剤が投入されており、注水ケース１２内の洗剤は給水処理１で水道水と共に水受槽４内に注入される。
６−４．洗い処理
主制御回路６６のＣＰＵは図１４のステップＳ８３の給水処理１を終えると、ステップＳ８４の洗い処理へ移行する。図１７は洗い処理であり、ＣＰＵはステップＳ１５１でインバータ制御回路７６に運転開始コマンドを送信する。このインバータ制御回路７６は運転開始コマンドを受信した場合にはインバータ回路７８を制御することでドラムモータ５を予め決められた洗い速度で回転操作する。このドラムモータ５の運転状態ではドラム７内の洗濯物がバッフル９と共に円周方向へ移動することで持上げられ、バッフル９から脱落することで水受槽４内の洗剤分を含有する水中に落下する。
【００７９】
主制御回路６６のＣＰＵはステップＳ１５１でインバータ制御回路７６に運転開始コマンドを送信すると、ステップＳ１５２でタイマＴｗの値から一定値を減算することで残りの洗い時間を更新する。このタイマＴｗの値の減算処理は一定時間が経過する毎に行われるものであり、ＣＰＵはステップＳ１５２でタイマＴｗの値を減算した場合にはステップＳ１５３でタイマＴｗの値の減算結果が「０」であるか否かを判断する。ここでタイマＴｗの値の減算結果が「０」であると判断した場合にはステップＳ１５４へ移行し、インバータ制御回路７６に運転停止コマンドを送信する。このインバータ制御回路７６は運転停止コマンドを受信した場合にはドラムモータ５の運転を停止し、洗い処理を終える。
６−５．排水処理１
主制御回路６６のＣＰＵは図１４のステップＳ８４の洗い処理を終えると、ステップＳ８５の排水処理１へ移行する。この排水処理１は排水弁モータ１６を回転操作することで排水弁１５を閉鎖状態から開放状態に切換え、水受槽４内の水を排水管１４から排出するものである。この排水弁１５の開放状態ではＣＰＵは水量センサ６７から出力される水量信号に基づいて水受槽４内の水量を検出しており、水量の検出結果が「０」に到達したと判断した場合にステップＳ８５の排水処理１からステップＳ８６へ移行する。
６−６．すすぎ処理
主制御回路６６のＣＰＵはステップＳ８６へ移行すると、カウンタＮ２１の値が「０」より大きいか否かを判断する。ここでカウンタＮ２１の値が「０」より大きいと判断した場合にはステップＳ８７の注水開始処理へ移行する。この注水開始処理は給水弁１０を閉鎖状態から開放状態に切換え、排水弁１５を開放状態から閉鎖状態に切換え、水受槽４内に排水弁１５の閉鎖状態で水道水を注入するものであり、ＣＰＵはステップＳ８７の注水開始処理で注水を開始した場合にはステップＳ８８の注水すすぎ処理へ移行する。
【００８０】
図１８は注水すすぎ処理であり、主制御回路６６のＣＰＵはステップＳ１６１でＲＡＭのタイマＴｒの値に一定の注水すすぎ時間を設定する。このタイマＴｒの値はステップＳ１で初期値「０」に設定されるものであり、ＣＰＵはステップＳ１６１でタイマＴｒの値を設定した場合にはステップＳ１６２でインバータ制御回路７６に運転開始コマンドを送信する。このインバータ制御回路７６は運転開始コマンドを受信した場合にはインバータ回路７８を制御することでドラムモータ５を予め決められた注水すすぎ速度で回転操作する。このドラムモータ５の運転状態ではドラム７内の洗濯物がバッフル９と共に円周方向へ移動することで持上げられ、バッフル９から脱落することで水受槽４内の洗剤分を含有しない水中に落下する。
【００８１】
主制御回路６６のＣＰＵはステップＳ１６２でインバータ制御回路７６に運転開始コマンドを送信すると、ステップＳ１６３でタイマＴｒの値から一定値を減算することで残りの注水すすぎ時間を更新する。このタイマＴｒの値の減算処理は一定時間が経過する毎に行われるものであり、ＣＰＵはステップＳ１６３でタイマＴｒの値を減算した場合にはステップＳ１６４でタイマＴｒの値の減算結果が「０」であるか否かを判断する。このタイマＴｒの値はタイマＴｒの値の減算結果が「０」になる前に水受槽４内の水面がオーバーフロー口１７に到達することで水受槽４内の水がオーバーフロー口１７を通して排出されるようにステップＳ１６１で設定されるものであり、注水すすぎ処理では洗濯物が水のオーバーフロー状態で撹拌される。
【００８２】
主制御回路６６のＣＰＵはステップＳ１６４でタイマＴｒの値の減算結果が「０」であると判断すると、ステップＳ１６５でインバータ制御回路７６に運転停止コマンドを送信する。このインバータ制御回路７６は運転停止コマンドを受信した場合にはドラムモータ５の運転を停止し、注水すすぎ処理を終える。
【００８３】
主制御回路６６のＣＰＵは図１４のステップＳ８８の注水すすぎ処理を終えると、ステップＳ８９の注水停止処理へ移行する。この注水停止処理は給水弁１０を開放状態から閉鎖状態に切換えることで水の注入を停止し、排水弁１５を閉鎖状態から開放状態に切換えることで水受槽４内の水を排出するものである。この排水弁１５の開放状態ではＣＰＵは水量センサ６７から出力される水量信号に基づいて水受槽４内の水量を検出しており、水量の検出結果が「０」に到達したと判断した場合にはステップＳ８９の注水停止処理からステップＳ９０へ移行する。ここでカウンタＮ２１の値から一定値「１」を減算することで残りの注水すすぎ処理回数を更新し、ステップＳ８６に復帰する。ここでカウンタＮ２１の値の減算結果が「０」であるか否かを判断し、カウンタＮ２１の値の減算結果が「０」であると判断した場合にはステップＳ９１へ移行する。
【００８４】
主制御回路６６のＣＰＵはステップＳ９１へ移行すると、カウンタＮ２２の値が「０」より大きいか否かを判断する。ここでカウンタＮ２２の値が「０」より大きいと判断した場合にはステップＳ９２の給水処理２へ移行する。この給水処理２は給水弁１０を閉鎖状態から開放状態に切換え、排水弁１５を開放状態から閉鎖状態に切換えることで水受槽４内に水道水を貯留するものである。この給水弁１０の開放状態ではＣＰＵは水量センサ６７から出力される水量信号に基づいて水受槽４内の水量を検出しており、水量の検出結果がステップＳ８２の運転情報設定処理での水量の設定結果に到達したと判断した場合に給水弁１０を開放状態から閉鎖状態に切換える。
【００８５】
主制御回路６６のＣＰＵはステップＳ９２の給水処理２を終えると、ステップＳ９３のためすすぎ処理へ移行する。図１９はためすすぎ処理であり、ＣＰＵはステップＳ１７１でタイマＴｒの値に一定のためすすぎ時間を設定し、ステップＳ１７２でインバータ制御回路７６に運転開始コマンドを送信する。このインバータ制御回路７６は運転開始コマンドを受信した場合にはインバータ回路７８を制御することでドラムモータ５を予め決められたためすすぎ速度で回転操作する。このドラムモータ５の運転状態ではドラム７内の洗濯物がバッフル９と共に円周方向へ移動することで持上げられ、バッフル９から脱落することで水受槽４内の洗剤分を含有しない水中に落下する。
【００８６】
主制御回路６６のＣＰＵはステップＳ１７２でインバータ制御回路７６に運転開始コマンドを送信すると、ステップＳ１７３でタイマＴｒの値から一定値を減算することで残りのためすすぎ時間を更新する。このタイマＴｒの値の減算処理は一定時間が経過する毎に行われるものであり、ＣＰＵはステップＳ１７３でタイマＴｒの値を減算した場合にはステップＳ１７４でタイマＴｒの値の減算結果が「０」であるか否かを判断する。ここでタイマＴｒの値の減算結果が「０」であると判断した場合にはステップＳ１７５へ移行し、インバータ制御回路７６に運転停止コマンドを送信する。このインバータ制御回路７６は運転停止コマンドを受信した場合にはドラムモータ５の運転を停止し、ためすすぎ処理を終える。
【００８７】
主制御回路６６のＣＰＵは図１４のステップＳ９３のためすすぎ処理を終えると、ステップＳ９４の排水処理２へ移行する。この排水処理２は排水弁１５を閉鎖状態から開放状態に切換えることで水受槽４内の水を排出するものであり、ＣＰＵは排水弁１５の開放状態で水量センサ６７から出力される水量信号に基づいて水受槽４内の水量を検出しており、水量の検出結果が「０」に到達したと判断した場合にステップＳ９４の排水処理２からステップＳ９５へ移行する。ここでカウンタＮ２２の値から一定値「１」を減算することで残りのためすすぎ処理回数を更新し、ステップＳ９１に復帰する。ここでカウンタＮ２２の値の減算結果が「０」であるか否かを判断し、カウンタＮ２２の値の減算結果が「０」であると判断した場合にはステップＳ９６の脱水処理へ移行する。
６−８．脱水処理
図２０は脱水処理であり、主制御回路６６のＣＰＵはステップＳ１８１でインバータ制御回路７６に運転開始コマンドを送信する。このインバータ制御回路７６は運転開始コマンドを受信した場合にはインバータ回路７８を制御することでドラムモータ５を予め決められた脱水速度で回転操作する。このドラムモータ５の運転状態ではドラム７内の洗濯物がバッフル９から脱落することなく円周方向へ移動し、ドラム内の洗濯物から水分が遠心力で放出される。この脱水処理は排水弁１５の開放状態で行われるものであり、洗濯物から放出された水分は排水管１４を通して水受槽４の外部に排出される。
【００８８】
主制御回路６６のＣＰＵはステップＳ１８１でインバータ制御回路７６に運転開始コマンドを送信すると、ステップＳ１８２でタイマＴｓの値から一定値を減算することで残りの脱水時間を更新する。このタイマＴｓの値の減算処理は一定時間が経過する毎に行われるものであり、ＣＰＵはステップＳ１８２でタイマＴｓの値を減算した場合にはステップＳ１８３でタイマＴｓの値の減算結果が「０」であるか否かを判断する。ここでタイマＴｓの値の減算結果が「０」であると判断した場合にはステップＳ１８４へ移行し、インバータ制御回路７６に運転停止コマンドを送信する。このインバータ制御回路７６は運転停止コマンドを受信した場合にはドラムモータ５の運転を停止し、脱水処理を終える。
６−９．乾燥処理
主制御回路６６のＣＰＵは図１４のステップＳ９６の脱水処理を終えると、ステップＳ９７の乾燥処理へ移行する。図２１は乾燥処理であり、ＣＰＵはステップＳ１９１でファンモータ２３の回転操作を開始する。このファンモータ２３は一定方向へ回転操作されるものであり、ＣＰＵはステップＳ１９１でファンモータ２３の回転操作を開始した場合にはステップＳ１９２でインバータ制御回路７６に運転開始コマンドを送信する。このインバータ制御回路７６は運転開始コマンドを受信した場合にはコンプモータ３４の運転をインバータ制御回路７６のＲＯＭに予め記録された一定パターンで開始し、ヒートポンプの運転を開始する。
【００８９】
主制御回路６６のＣＰＵはステップＳ１９２でインバータ制御回路７６に運転開始コマンドを送信すると、ステップＳ１９３でドラム入口温度センサ６８から出力される温度信号を検出し、温度信号の検出結果に基づいてドラム入口温度を検出する。そして、ステップＳ１９４で制御温度の設定結果およびドラム入口温度の検出結果相互間の偏差を演算し、ステップＳ１９５で偏差の演算結果に基づいて速度指令を設定する。この速度指令はドラム入口温度の検出結果を制御温度の設定結果にするためのコンプモータ３４の回転速度に相当するものであり、ＣＰＵはステップＳ１９５で速度指令を設定した場合にはステップＳ１９６でインバータ制御回路７６に速度指令の設定結果を送信する。このインバータ制御回路７６は速度指令を受信した場合にはインバータ回路７８を速度指令の受信結果で制御し、コンプモータ３４を速度指令の受信結果で回転操作することでドラム入口温度の検出結果を制御温度の設定結果にコントロールする。
【００９０】
主制御回路６６のＣＰＵはステップＳ１９６でインバータ制御回路７６に速度指令を送信すると、ステップＳ１９７でドラム出口温度センサ６９から出力される温度信号を検出し、温度信号の検出結果に基づいてドラム出口温度を検出する。そして、ステップＳ１９８で「（ドラム出口温度の検出結果／制御温度の設定結果）×１００」を演算することで乾燥率を求め、ステップＳ１９９で乾燥率の演算結果が乾燥率の設定結果に到達したか否かを判断する。この演算式は主制御回路６６のＲＯＭに予め記録されたものであり、ＣＰＵはステップＳ１９９で乾燥率の演算結果が乾燥率の設定結果に到達していないと判断した場合にはステップＳ２００でドラム入口温度の検出結果をクリアし、ステップＳ２０１でドラム出口温度の検出結果をクリアし、ステップＳ１９３に復帰する。
【００９１】
主制御回路６６のＣＰＵはステップＳ１９９で乾燥率の演算結果が乾燥率の設定結果に到達したと判断すると、ステップＳ２０２でファンモータ２３の回転操作を停止し、ステップＳ２０３でインバータ制御回路７６に運転停止コマンドを送信する。このインバータ制御回路７６は運転停止コマンドを受信した場合にはコンプモータ３４の回転操作を停止し、ヒートポンプの運転を停止する。
６−１０．運転情報記録処理
主制御回路６６のＣＰＵは図１４のステップＳ９７の乾燥処理を終えると、ステップＳ９８の運転情報記録処理へ移行する。この運転情報記録処理はＲＡＭのカウンタＮ１の値とカウンタＮ２の値とカウンタＮ３の値とカウンタＮ４の値とカウンタＮ５の値とカウンタＮ６の値とカウンタＮ７の値のそれぞれをＥＥＰＲＯＭに記録し、主電源を自ら遮断するものであり、主電源の遮断状態では主電源が遮断される直前の「標準洗乾コース」が終了した時点でのカウンタＮ１の値〜カウンタＮ７の値の７種類のそれぞれがＥＥＰＲＯＭにバックアップされる。従って、電源が投入されることで図８のステップＳ１６のよく洗うスイッチ処理〜ステップＳ２０の速くするスイッチ処理のそれぞれが新たに行われた場合にはＲＡＭのカウンタＮ１の値〜カウンタＮ７の値のそれぞれがＥＥＰＲＯＭのバックアップデータを基準に更新され、洗い時間と洗剤量とすすぎパターンと水量と脱水時間と乾燥率と制御温度のそれぞれが前回の「標準洗乾コース」での値を基準に修正される。
【００９２】
上記実施例１によれば次の効果を奏する。
使用者がよく洗うスイッチ４４のキー５０を有効に操作した場合にカウンタＮ１の値およびカウンタＮ２の値のそれぞれをよく洗うスイッチ４４のキー５０の操作内容に応じて設定し、洗い時間を洗濯物量の判定結果に応じた値である標準値に対してカウンタＮ１の値に応じた分だけ異なる値に設定し、洗剤量を洗濯物量の判定結果に応じた値である標準値に対してカウンタＮ２の値に応じた分だけ異なる値に設定した。このため、使用者が過去の「標準洗乾コース」の洗い処理での洗濯物の仕上り状態を参考によく洗うスイッチ４４のキー５０を操作することで今回の「標準洗乾コース」の洗い処理での洗濯物の仕上がり状態を好みのものに修正できる。しかも、使用者が洗い時間および洗剤量のそれぞれを別々のキーの操作で設定する場合に比べてキーの操作が簡単になる。しかも、よく洗うスイッチ４４のキー５０によく洗うスイッチ４４のキー５０が有効に操作された場合の効果「よく洗う」を表示したので、使用者が洗濯物の洗浄効果を高めたいと思った場合によく洗うスイッチ４４のキー５０を迷うことなく操作できる。
【００９３】
使用者がよくすすぐスイッチ４５のキー５０を有効に操作した場合にカウンタＮ３の値およびカウンタＮ４の値のそれぞれをよくすすぐスイッチ４５のキー５０の操作内容に応じて設定し、すすぎパターンを洗濯物量の判定結果に応じたパターンである標準値に対してカウンタＮ３の値に応じた分だけ異なるパターンに設定し、水量を洗濯物量の判定結果に応じた値である標準値に対してカウンタＮ４の値に応じた分だけ異なる値に設定した。このため、使用者が過去の「標準洗乾コース」のすすぎ処理での洗濯物の仕上り状態を参考によくすすぐスイッチ４５のキー５０を操作することで今回の「標準洗乾コース」のすすぐ処理での洗濯物の仕上がり状態を好みのものに修正できる。しかも、使用者がすすぎパターンおよび水量のそれぞれを別々のキーの操作で設定する場合に比べてキーの操作が簡単になる。しかも、よくすすぐスイッチ４５のキー５０によくすすぐスイッチ４５のキー５０が有効に操作された場合の効果「よくすすぐ」を表示したので、使用者が洗濯物のすすぎ効果を高めたいと思った場合によくすすぐスイッチ４５のキー５０を迷うことなく操作できる。
【００９４】
使用者がよく乾かすスイッチ４６のキー５０を有効に操作した場合にカウンタＮ６の値およびカウンタＮ７の値のそれぞれをよく乾かすスイッチ４６のキー５０の操作内容に応じて設定し、乾燥率を洗濯物量の判定結果に応じた値である標準値に対してカウンタＮ６の値に応じた分だけ異なる値に設定し、制御温度を洗濯物量の判定結果に応じた値である標準値に対してカウンタＮ７の値に応じた分だけ異なる値に設定した。このため、使用者が過去の「標準洗乾コース」の乾燥処理での洗濯物の仕上り状態を参考によく乾かすスイッチ４６のキー５０を操作することで今回の「標準洗乾コース」の乾燥処理での洗濯物の仕上がり状態を好みのものに修正できる。しかも、使用者が乾燥率および制御温度のそれぞれを別々のキーの操作で設定する場合に比べてキーの操作が簡単になる。しかも、よく乾かすスイッチ４６のキー５０によく乾かすスイッチ４６のキー５０が有効に操作された場合の効果「よく乾かす」を表示したので、使用者が洗濯物の乾燥効果を高めたいと思った場合によく乾かすスイッチ４６のキー５０を迷うことなく操作できる。
【００９５】
使用者が節約するスイッチ４７のキー５０を有効に操作した場合にカウンタＮ２の値とカウンタＮ３の値とカウンタＮ４の値とカウンタＮ７の値のそれぞれを節約するスイッチ４７のキー５０の操作内容に応じて設定し、洗剤量を標準値に対してカウンタＮ２の値に応じた分だけ異なる値に設定し、すすぎパターンを標準パターンに対してカウンタＮ３の値に応じた分だけ異なるパターンに設定し、水量を標準値に対してカウンタＮ４の値に応じた分だけ異なる値に設定し、制御温度を標準値に対してカウンタＮ７の値に応じた分だけ異なる値に設定した。このため、使用者が過去の「標準洗乾コース」の洗い処理とすすぎ処理と乾燥処理のそれぞれでの洗濯物の仕上り状態を参考に節約するスイッチ４７のキー５０を操作することで今回の「標準洗乾コース」の洗い処理での洗剤の使用量および水道水の使用量のそれぞれを節約でき、今回の「標準洗乾コース」のすすぎ処理での水道水の使用量および電力の使用量のそれぞれを節約でき、今回の「標準洗乾コース」の乾燥処理での電力の使用量を節約できる。しかも、使用者が洗剤量とすすぎパターンと水量と制御温度のそれぞれを別々のキーの操作で設定する場合に比べてキーの操作が簡単になる。しかも、節約するスイッチ４７のキー５０に節約するスイッチ４７のキー５０が有効に操作された場合の効果「節約する」を表示したので、使用者が水道水の使用量および電力の使用量のそれぞれを節約したい思った場合に節約するスイッチ４７のキー５０を迷うことなく操作できる。
【００９６】
使用者が速くするスイッチ４８のキー５０を有効に操作した場合にカウンタＮ１の値とカウンタＮ３の値とカウンタＮ５の値とカウンタＮ６の値のそれぞれを速くするスイッチ４８のキー５０の操作内容に応じて設定し、洗い時間を標準値に対してカウンタＮ１の値に応じた分だけ異なる値に設定し、すすぎパターンを標準パターンに対してカウンタＮ３の値に応じた分だけ異なるパターンに設定し、脱水時間を標準値に対してカウンタＮ５の値に応じた分だけ異なる値に設定し、乾燥率を標準値に対してカウンタＮ６の値に応じた分だけ異なる値に設定した。このため、使用者が過去の「標準洗乾コース」の洗い処理とすすぎ処理と脱水処理と乾燥処理のそれぞれでの洗濯物の仕上り状態を参考に速くするスイッチ４８のキー５０を操作することで今回の「標準洗乾コース」での洗い処理の所要時間とすすぎ処理の所要時間と脱水処理の所要時間と乾燥処理の所要時間のそれぞれを短縮できる。しかも、使用者が洗い時間とすすぎパターンと脱水時間と乾燥率のそれぞれを別々のキーの操作で設定する場合に比べてキーの操作が簡単になる。しかも、速くするスイッチ４８のキー５０に速くするスイッチ４８のキー５０が有効に操作された場合の効果「速くする」を表示したので、「標準洗乾コース」が開始されてから終了するまでの所要時間を使用者が短縮したいと思った場合に速くするスイッチ４８のキー５０を迷うことなく操作できる。
【００９７】
電源の遮断状態でカウンタＮ１の値〜Ｎ７の値の７種類のそれぞれを主制御回路６０のＥＥＰＲＯＭにバックアップし、よく洗うスイッチ４４のキー５０〜速くするスイッチ４８のキー５０の５種類のそれぞれが操作された場合にカウンタＮ１の値〜Ｎ７の値のそれぞれをＥＥＰＲＯＭのバックアップデータを基準に更新したので、使用者がよく洗うスイッチ４４のキー５０〜速くするスイッチ４８のキー５０のそれぞれを操作することで今回の「標準洗乾コース」の処理内容を前回の「標準洗乾コース」の処理内容を基準に修正できる。
【００９８】
よく洗うスイッチ４４のキー５０〜速くするスイッチ４８のキー５０のそれぞれが操作された場合に洗い時間と洗剤量とすすぎパターンと水量と脱水時間と乾燥率と制御温度のそれぞれを下限値および上限度値の範囲内で設定したので、使用者がよく洗うスイッチ４４のキー５０〜速くするスイッチ４８のキー５０のそれぞれを操作することで洗い時間〜制御温度のそれぞれを意に反して不適切な値に設定してしまうことがなくなる。リセットスイッチ４９のキー５０が操作された場合に主制御回路６０のＥＥＰＲＯＭのカウンタＮ１の値〜Ｎ７の値のそれぞれを初期値「０」にリセットしたので、使用者がリセットスイッチ４９のキー５０を操作するだけで洗い時間〜制御温度のそれぞれを簡単に標準値に戻すことができる。
【００９９】
上記実施例１においては、主制御回路６６のＣＰＵが図８のステップＳ２でＥＥＰＲＯＭからカウンタＮ１の値〜カウンタＮ７の値の７種類のそれぞれを検出した場合に表示器５８にカウンタＮ１の値の検出結果〜カウンタＮ７の値の検出結果の７種類のそれぞれを表示する構成としても良い。この構成の場合には使用者が今回の「標準洗乾コース」で洗い時間〜制御温度のそれぞれが標準値に対してどのように修正されるかを表示器５８の表示内容から認識できる。
【０１００】
上記実施例１においては、複数の洗い時間テーブルのうちＲＡＭのカウンタＮ１の値に応じた一つのものから洗濯物量の判定結果に応じた洗い時間を選択または洗い時間を洗濯物量の判定結果に応じて選択する場合の閾値をＲＡＭのカウンタＮ１の値に応じて変えることでよく洗うスイッチ４４のキー５０および速くするスイッチ４８のキー５０のそれぞれの有効な操作内容に応じて洗い時間を修正しても良い。
【０１０１】
上記実施例１においては、複数の洗剤量テーブルのうちＲＡＭのカウンタＮ２の値に応じた一つのものから洗濯物量の判定結果に応じた洗剤量を選択または洗剤量を洗濯物量の判定結果に応じて選択する場合の閾値をＲＡＭのカウンタＮ２の値に応じて変えることでよく洗うスイッチ４４のキー５０および節約するスイッチ４７のキー５０のそれぞれの有効な操作内容に応じて洗剤量を修正しても良い。
【０１０２】
上記実施例１においては、複数のすすぎテーブルのうちＲＡＭのカウンタＮ３の値に応じた一つのものから洗濯物量の判定結果に応じたすすぎパターンを選択またはすすぎパターンを洗濯物量の判定結果に応じて選択する場合の閾値をＲＡＭのカウンタＮ３の値に応じて変えることでよくすすぐスイッチ４５のキー５０と節約するスイッチ４７のキー５０と速くするスイッチ４８のキー５０のそれぞれの有効な操作内容に応じてすすぎパターンを修正しても良い。
【０１０３】
上記実施例１においては、複数の水量テーブルのうちＲＡＭのカウンタＮ４の値に応じた一つのものから洗濯物量の判定結果に応じた水量を選択または水量を洗濯物量の判定結果に応じて選択する場合の閾値をＲＡＭのカウンタＮ４の値に応じて変えることでよくすすぐスイッチ４５のキー５０および節約するスイッチ４７のキー５０のそれぞれの有効な操作内容に応じて水量を修正しても良い。
【０１０４】
上記実施例１においては、複数の脱水時間テーブルのうちＲＡＭのカウンタＮ５の値に応じた一つのものから洗濯物量の判定結果に応じた脱水時間を選択または脱水時間を洗濯物量の判定結果に応じて選択する場合の閾値をＲＡＭのカウンタＮ５の値に応じて変えることで速くするスイッチ４８のキー５０の有効な操作内容に応じて脱水時間を修正しても良い。
【０１０５】
上記実施例１においては、複数の乾燥率テーブルのうちＲＡＭのカウンタＮ６の値に応じた一つのものから洗濯物量の判定結果に応じた乾燥率を選択または乾燥率を洗濯物量の判定結果に応じて選択する場合の閾値をＲＡＭのカウンタＮ６の値に応じて変えることでよく乾かすスイッチ４６のキー５０および速くするスイッチ４８のキー５０のそれぞれの有効な操作内容に応じて乾燥率を修正しても良い。
【０１０６】
上記実施例１においては、複数の制御温度テーブルのうちＲＡＭのカウンタＮ７の値に応じた一つのものから洗濯物量の判定結果に応じた制御温度を選択または制御温度を洗濯物量の判定結果に応じて選択する場合の閾値をＲＡＭのカウンタＮ７の値に応じて変えることでよく乾かすスイッチ４６のキー５０および節約するスイッチ４７のキー５０のそれぞれの有効な操作内容に応じて制御温度を修正しても良い。
【０１０７】
上記実施例１においては、図１４のステップＳ８１の洗濯物量判定処理が終了した場合に洗濯物量の判定結果に基づいて洗い時間と洗剤量とすすぎパターンと水量と脱水時間と乾燥率と制御温度のそれぞれを設定し、洗い時間〜制御温度のそれぞれを設定したことを基準に時間の計測を開始する構成としても良い。この構成の場合には時間の計測を開始してから時間の計測結果が一定値に到達する前までの期間内に図９のよく洗うスイッチ処理と図１０のよくすすぐスイッチ処理と図１１のよく乾かすスイッチ処理と図１２の節約するスイッチ処理と図１３の速くするスイッチ処理のそれぞれを行い、時間の計測結果が一定値に到達した場合に図１４のステップＳ８２の運転情報設定処理で洗い時間の設定結果をＲＡＭのカウンタＮ１の値に応じて修正し、洗剤量の設定結果をＲＡＭのカウンタＮ２の値に応じて修正し、すすぎパターンの設定結果をＲＡＭのカウンタＮ３の値に応じて修正し、水量の設定結果をＲＡＭのカウンタＮ４の値に応じて修正し、脱水時間の設定結果をＲＡＭのカウンタＮ５の値に応じて修正し、乾燥率の設定結果をＲＡＭのカウンタＮ６の値に応じて修正し、制御温度の設定結果をＲＡＭのカウンタＮ７の値に応じて修正すると良い。次の１）〜８）は洗い時間〜制御温度のそれぞれを洗濯物量の判定結果に応じて設定した後に図９のよく洗うスイッチ処理〜図１３の速くするスイッチ処理のそれぞれを一定時間だけ行う場合のものであり、洗い時間と洗剤量とすすぎパターンと水量と脱水時間と乾燥率と制御温度のそれぞれについて使用者がキー５０を操作した時点で限度の段階に到達していることを認識することができる。
１）図９のよく洗うスイッチ処理〜図１３の速くするスイッチ処理のそれぞれを開始する前にＲＡＭのカウンタＮ１の値に応じて洗い時間の設定結果を仮に修正し、ＲＡＭのカウンタＮ２の値に応じて洗剤量の設定結果を仮に修正し、ＲＡＭのカウンタＮ３の値に応じてすすぎパターンの設定結果を仮に修正し、ＲＡＭのカウンタＮ４の値に応じて水量の設定結果を仮に修正し、ＲＡＭのカウンタＮ５の値に応じて脱水時間の設定結果を仮に修正し、ＲＡＭのカウンタＮ６の値に応じて乾燥率の設定結果を仮に修正し、ＲＡＭのカウンタＮ７の値に応じて制御温度の設定結果を仮に修正する。
２）洗い時間の仮の修正結果を上限値および下限値のそれぞれと比較し、洗い時間の仮の修正結果が上限値以上であると判断した場合にはブザーを鳴動または表示器５８にエラーメッセージを表示する等の報知処理を行うことでよく洗うスイッチ４４のキー５０を操作しても洗い時間が増えないことを使用者に報知し、洗い時間の仮の修正結果が下限値以下であると判断した場合には報知処理を行うことで速くするスイッチ４８のキー５０を操作しても洗い時間が減らないことを使用者に報知する。この洗い時間の仮の修正結果が上限値以上であると判断された場合には図９のよく洗うスイッチ処理でよく洗うスイッチ４４がオン状態にあると判断されてもＲＡＭのカウンタＮ１の値が加算されず、洗い時間の仮の修正結果が下限値以下であると判断された場合には図９の速くするスイッチ処理で速くするスイッチ４８がオン状態にあると判断されてもＲＡＭのカウンタＮ１の値が減算されない。
３）洗剤量の仮の修正結果を上限値および下限値のそれぞれと比較し、洗剤量の仮の修正結果が上限値以上であると判断した場合には報知処理を行うことでよく洗うスイッチ４４のキー５０を操作しても洗剤量の表示値が増えないことを使用者に報知し、洗剤量の仮の修正結果が下限値以下であると判断した場合には報知処理を行うことで節約するスイッチ４７のキー５０を操作しても洗剤量の表示値が減らないことを使用者に報知する。この洗剤量の仮の修正結果が上限値以上であると判断された場合には図９のよく洗うスイッチ処理でよく洗うスイッチ４４がオン状態にあると判断されてもＲＡＭのカウンタＮ２の値が加算されず、洗剤量の仮の修正結果が下限値以下であると判断された場合には図１２の節約するスイッチ処理で節約するスイッチ４７がオン状態にあると判断されてもＲＡＭのカウンタＮ２の値が減算されない。
４）すすぎパターンの仮の修正結果を上限のすすぎパターン（４回注水）および下限のすすぎパターン（１回）のそれぞれと比較し、すすぎパターンの仮の修正結果が上限のすすぎパターンであると判断した場合には報知処理を行うことでよくすすぐスイッチ４５のキー５０を操作してもすすぎパターンが上の順位に変わらないことを使用者に報知し、すすぎパターンの仮の修正結果が下限のすすぎパターンであると判断した場合には報知処理を行うことで節約するスイッチ４７のキー５０および速くするスイッチ４８のキー５０のいずれを操作してもすすぎパターンが下の順位に変わらないことを使用者に報知する。このすすぎパターンの仮の修正結果が上限のすすぎパターンであると判断された場合には図１０のよくすすぐスイッチ処理でよくすすぐスイッチ４５がオン状態にあると判断されてもＲＡＭのカウンタＮ３の値が加算されず、すすぎパターンの仮の修正結果が下限のすすぎパターンであると判断された場合には図１２の節約するスイッチ処理で節約するスイッチ４７がオン状態にあると判断されてもＲＡＭのカウンタＮ３の値が減算されず、図１３の速くするスイッチ処理で速くするスイッチ４８がオン状態にあると判断されてもＲＡＭのカウンタＮ３の値が減算されない。
５）水量の仮の修正結果を上限値および下限値のそれぞれと比較し、水量の仮の修正結果が上限値以上であると判断した場合には報知処理を行うことでよくすすぐスイッチ４５のキー５０を操作しても水量が増えないことを使用者に報知し、水量の仮の修正結果が下限値以下であると判断した場合には報知処理を行うことで節約するスイッチ４７のキー５０を操作しても水量が減らないことを使用者に報知する。この水量の仮の修正結果が上限値以上であると判断された場合には図１０のよくすすぐスイッチ処理でよくすすぐスイッチ４５がオン状態にあると判断されてもＲＡＭのカウンタＮ４の値が加算されず、水量の仮の修正結果が下限値以下であると判断された場合には図１２の節約するスイッチ処理で節約するスイッチ４７がオン状態にあると判断されてもＲＡＭのカウンタＮ４の値が減算されない。
６）脱水時間の仮の修正結果を下限値と比較し、脱水時間の仮の修正結果が下限値以下であると判断した場合には報知処理を行うことで速くするスイッチ４８のキー５０を操作しても脱水時間が減らないことを使用者に報知する。この脱水時間の仮の修正結果が下限値以下であると判断された場合には図１３の速くするスイッチ処理で速くするスイッチ４８がオン状態にあると判断されてもＲＡＭのカウンタＮ５の値が減算されない。
７）乾燥率の仮の修正結果を上限値および下限値のそれぞれと比較し、乾燥率の仮の修正結果が上限値以上であると判断した場合には報知処理を行うことでよく乾かすスイッチ４６のキー５０を操作しても乾燥率が高くならないことを使用者に報知し、乾燥率の仮の修正結果が下限値以下であると判断した場合には報知処理を行うことで速くするスイッチ４８のキー５０を操作しても乾燥率が低くならないことを使用者に報知する。この乾燥率の仮の修正結果が上限値以上であると判断された場合には図１１のよく乾かすスイッチ処理でよく乾かすスイッチ４６がオン状態にあると判断されてもＲＡＭのカウンタＮ６の値が加算されず、乾燥率の仮の修正結果が下限値以下であると判断された場合には図１３の速くするスイッチ処理で速くするスイッチ４８がオン状態にあると判断されてもＲＡＭのカウンタＮ６の値が減算されない。
８）制御温度の仮の修正結果を上限値および下限値のそれぞれと比較し、制御温度の仮の修正結果が上限値以上であると判断した場合には報知処理を行うことでよく乾かすスイッチ４６のキー５０を操作しても制御温度が高くならないことを使用者に報知し、制御温度の仮の修正結果が下限値以下であると判断した場合には報知処理を行うことで節約するスイッチ４７のキー５０を操作しても制御温度が低くならないことを使用者に報知する。この制御温度の仮の修正結果が上限値以上であると判断された場合には図１１のよく乾かすスイッチ処理でよく乾かすスイッチ４６がオン状態にあると判断されてもＲＡＭのカウンタＮ７の値が加算されず、制御温度の仮の修正結果が下限値以下であると判断された場合には図１２の節約するスイッチ処理で節約するスイッチ４７がオン状態にあると判断されてもＲＡＭのカウンタＮ７の値が減算されない。
【０１０８】
上記実施例１においては、主制御回路６６のＣＰＵが図９のステップＳ３２でカウンタＮ１１の値が「１」に到達しているか否かを判断する構成としても良い。即ち、よく洗うスイッチ４４のキー５０が１回目に操作された場合には洗い時間および洗剤量のそれぞれを現在値に対して１段階だけ上に変えることでよく洗うスイッチ４４のキー５０の操作を有効化し、よく洗うスイッチ４４のキー５０が２回目以後に操作された場合には洗い時間および洗剤量のそれぞれを現在値に対して変えることなくよく洗うスイッチ４４のキー５０の操作を無効化する構成としても良い。この構成の場合にはよく洗うスイッチ４４のキー５０の右下部に１個のよく洗うＬＥＤ６１を配置し、よく洗うスイッチ４４のキー５０が１回目に操作された場合に１個のよく洗うＬＥＤ６１を点灯状態にすると良い。
【０１０９】
上記実施例１においては、主制御回路６６のＣＰＵが図１０のステップＳ４２でカウンタＮ１２の値が「１」に到達しているか否かを判断する構成としても良い。この構成の場合にはよくすすぐスイッチ４５のキー５０の右下部に１個のよくすすぐＬＥＤ６２を配置し、よくすすぐスイッチ４５のキー５０が１回目に操作された場合に１個のよくすすぐＬＥＤ６２を点灯状態にすると良い。
【０１１０】
上記実施例１においては、主制御回路６６のＣＰＵが図１１のステップＳ５２でカウンタＮ１３の値が「１」に到達しているか否かを判断する構成としても良い。この構成の場合にはよく乾かすスイッチ４６のキー５０の右下部に１個のよく乾かすＬＥＤ６３を配置し、よく乾かすスイッチ４６のキー５０が１回目に操作された場合に１個のよく乾かすＬＥＤ６３を点灯状態にすると良い。
【０１１１】
上記実施例１においては、主制御回路６６のＣＰＵが図１２のステップＳ６２でカウンタＮ１４の値が「１」に到達しているか否かを判断する構成としても良い。この構成の場合には節約するスイッチ４７のキー５０の右下部に１個の節約するＬＥＤ６４を配置し、節約するスイッチ４７のキー５０が１回目に操作された場合に１個の節約するＬＥＤ６４を点灯状態にすると良い。
【０１１２】
上記実施例１においては、主制御回路６６のＣＰＵが図１３のステップＳ７２でカウンタＮ１５の値が「１」に到達しているか否かを判断する構成としても良い。この構成の場合には速くするスイッチ４８のキー５０の右下部に１個の速くするＬＥＤ６５を配置し、速くするスイッチ４８のキー５０が１回目に操作された場合に１個の速くするＬＥＤ６５を点灯状態にすると良い。
【０１１３】
上記実施例１においては、使用者がダイアル５６を操作することで洗濯物量の判定結果に応じて洗い時間と洗剤量とすすぎパターンと水量と脱水時間と乾燥率と制御温度のうちの１種類以上を設定する運転コースが設定された場合に当該運転コースの１種類以上のパラメータの値をよく洗うスイッチ４４とよくすすぐスイッチ４５とよく乾かすスイッチ４６と節約するスイッチ４７と速くするスイッチ４８のいずれかの有効な操作内容に応じて修正しても良い。
【０１１４】
上記実施例１においては、よく洗うスイッチ４４とよくすすぐスイッチ４５とよく乾かすスイッチ４６と節約するスイッチ４７と速くするスイッチ４８のそれぞれに換えて回転形のエンコーダを用い、主制御回路６６のＣＰＵがカウンタＮ１の値〜カウンタＮ７の値の７種類のそれぞれをエンコーダから出力されるパルス信号の数に応じて設定する構成としても良い。
【０１１５】
上記実施例１においては、図９のステップＳ３１でよく洗うスイッチ４４がオン状態にあると判断された場合と図１０のステップＳ４１でよくすすぐスイッチ４５がオン状態にあると判断された場合と図１１のステップＳ５１でよく乾かすスイッチ４６がオン状態にあると判断された場合と図１２のステップＳ６１で節約するスイッチ４７がオン状態にあると判断された場合と図１３のステップＳ７１で速くするスイッチ４８がオン状態にあると判断された場合のそれぞれに１種類のカウンタの値を一定値だけ更新し、よく洗うスイッチ４４がオン状態にあると判断された場合には洗濯物量の判定結果に応じた洗い時間および洗剤量のそれぞれを共通のカウンタの値の加算結果に応じて修正し、よくすすぐスイッチ４５がオン状態にあると判断された場合には洗濯物量の判定結果に応じたすすぎパターンおよび水量のそれぞれを共通のカウンタの値の加算結果に応じて修正し、よく乾かすスイッチ４６がオン状態にあると判断された場合には洗濯物量の判定結果に応じた乾燥率および制御温度のそれぞれを共通のカウンタの値の加算結果に応じて修正し、節約するスイッチ４７がオン状態にあると判断された場合には洗濯物量の判定結果に応じた洗剤量とすすぎパターンと水量と制御温度のそれぞれを共通のカウンタの値の減算結果に応じて修正し、速くするスイッチ４８がオン状態にあると判断された場合には洗濯物量の判定結果に応じた洗い時間とすすぎパターンと乾燥率と制御温度のそれぞれを共通のカウンタの値の減算結果に応じて修正しても良い。
【０１１６】
上記実施例１においては、図１４のステップＳ８１の洗濯物量判定処理でドラムモータ５を予め決められた一定のパターンで運転開始してからドラムモータ５の回転速度が予め決められた一定値に到達するまでの所要時間の長さに応じて洗濯物量を判定しても良い。
【０１１７】
上記実施例１においては、図１４のステップＳ９８の運転情報記録処理を廃止し、カウンタＮ１の値〜Ｎ７の値のそれぞれを電源の遮断状態でバックアップしない構成としても良い。
【０１１８】
上記実施例１においては、コンデンサ３０に換えて電気的なヒータを用い、エバポレータ２７に換えて冷却器を用いても良い。冷却器は風を水道水で冷却することで除湿するものであり、ヒータは除湿風を加熱することで温風化するものである。
【０１１９】
上記実施例１においては、乾燥機能が搭載されていない洗濯機または洗濯機能が搭載されていな乾燥機に本発明を適用しても良い。
上記実施例１においては、洗濯物を水流で洗濯する洗濯機に本発明を適用しても良い。
【符号の説明】
【０１２０】
５０は操作子、５１〜５５は表示部、６６は主制御回路（洗濯物量判定手段，パラメータ設定手段，洗い処理手段，すすぎ処理手段，脱水処理手段，データ設定手段，乾燥処理手段，記録手段，データ検出手段）を示す。
【図１】
2011110251.tif 000003
【図２】
2011110251.tif 000004
【図３】
2011110251.tif 000005
【図４】
2011110251.tif 000006
【図５】
2011110251.tif 000007
【図６】
2011110251.tif 000008
【図７】
2011110251.tif 000009
【図８】
2011110251.tif 000010
【図９】
2011110251.tif 000011
【図１０】
2011110251.tif 000012
【図１１】
2011110251.tif 000013
【図１２】
2011110251.tif 000014
【図１３】
2011110251.tif 000015
【図１４】
2011110251.tif 000016
【図１５】
2011110251.tif 000017
【図１６】
2011110251.tif 000018
【図１７】
2011110251.tif 000019
【図１８】
2011110251.tif 000020
【図１９】
2011110251.tif 000021
【図２０】
2011110251.tif 000022
【図２１】
2011110251.tif 000023